(57)【要約】【課題】遠隔会議に参加している各端末装置との間でのデータ通信を好適に行うことができる、会議サーバ、通信方法、コンピュータプログラム及び遠隔会議システムを提供する。【解決手段】会議サーバは、第１端末装置から送信されたメディアデータと、第２端末装置から送信されたメディアデータを取得する。第１端末装置からのメディアデータは第２端末装置に送信され、第２端末装置からのメディアデータは第１端末装置に送信される。会議サーバでは、第１圧縮率より圧縮率が高い第２圧縮率のメディアデータに変換する高圧縮指示が、第１端末装置との間の遠隔会議のセッションが確立された第１タイミングにおいて設定される。会議サーバでは、第１端末装置から、第１圧縮率のメディアデータが取得される。会議サーバでは、高圧縮指示に従い、第１端末装置からのメディアデータから生成された第２圧縮率のメディアデータが取得され、第２端末装置に送信される。【選択図】図５
2014072600.tif 000002
【特許請求の範囲】
【請求項１】
ネットワークに接続される第１端末装置及び第２端末装置による遠隔会議のための遠隔会議システムに含まれ、前記ネットワークに接続される会議サーバであって、
前記第１端末装置からの要求に応じ、前記会議サーバと前記第１端末装置との間の遠隔会議のセッションを確立し、前記第２端末装置からの要求に応じ、前記会議サーバと前記第２端末装置との間の遠隔会議のセッションを確立する確立手段と、
前記確立手段によって遠隔会議のセッションが確立された前記第１端末装置から送信された、画像データ又は音声データを含むメディアデータを取得し、前記確立手段によって遠隔会議のセッションが確立された前記第２端末装置から送信された、画像データ又は音声データを含むメディアデータを取得する第１取得手段と、
前記第１取得手段で取得された前記第１端末装置からのメディアデータが、前記確立手段によって遠隔会議のセッションが確立された前記第２端末装置に送信されるように制御し、前記第１取得手段で取得された前記第２端末装置からのメディアデータが、前記確立手段によって遠隔会議のセッションが確立された前記第１端末装置に送信されるように制御する第１送信手段と、
前記第１取得手段で取得された前記第１端末装置からのメディアデータを、第１圧縮率より圧縮率が高い第２圧縮率のメディアデータに変換する高圧縮指示を、前記確立手段によって前記第１端末装置との間の遠隔会議のセッションが確立された第１タイミングにおいて、前記会議サーバに設定する設定手段と、
前記設定手段によって設定された前記高圧縮指示に従い、前記第１取得手段で取得された前記第１端末装置からのメディアデータから生成された前記第２圧縮率のメディアデータを取得する第２取得手段と、を備え、
前記第１取得手段は、前記第１端末装置から、前記第１圧縮率のメディアデータを取得し、
前記第１送信手段は、前記第２取得手段で取得された前記第２圧縮率のメディアデータが、前記第２端末装置に送信されるように制御する、会議サーバ。
【請求項２】
前記第１タイミング後の第２タイミング以降に行われる、前記第２端末装置からのメディアデータの送信において、基準となる基準期間内のデータ転送量を取得する第３取得手段と、
前記第３取得手段で取得された前記第２端末装置からの送信についてのデータ転送量と、基準となる基準転送量と、を比較する比較手段と、を備え、
前記設定手段は、前記第２端末装置からの送信についてのデータ転送量が、前記基準転送量より低い場合、前記高圧縮指示を、前記会議サーバに再設定し、
前記第２取得手段は、前記設定手段によって再設定された前記高圧縮指示に従い、前記第１取得手段で前記第１端末装置から取得された前記第１圧縮率のメディアデータから生成された前記第２圧縮率のメディアデータを取得する、請求項１に記載の会議サーバ。
【請求項３】
特定の情報を含む資料に対応した資料データを前記第１端末装置及び前記第２端末装置で共有する共有指示を取得する第４取得手段を備え、
前記設定手段は、前記第４取得手段で前記共有指示が取得された場合、前記会議サーバに設定された前記高圧縮指示を、前記第１圧縮率に対応した低圧縮指示とし、
前記第１送信手段は、前記第１取得手段で取得された前記第１端末装置からの前記第１圧縮率のメディアデータが、前記第２端末装置に送信されるように制御する、請求項１又は請求項２に記載の会議サーバ。
【請求項４】
ネットワークに接続される第１端末装置及び第２端末装置による遠隔会議のための遠隔会議システムに含まれ、前記ネットワークに接続される会議サーバであって、
前記第１端末装置からの要求に応じ、前記会議サーバと前記第１端末装置との間の遠隔会議のセッションを確立し、前記第２端末装置からの要求に応じ、前記会議サーバと前記第２端末装置との間の遠隔会議のセッションを確立する確立手段と、
前記確立手段によって遠隔会議のセッションが確立された前記第１端末装置から送信された、画像データ又は音声データを含むメディアデータを取得し、前記確立手段によって遠隔会議のセッションが確立された前記第２端末装置から送信された、画像データ又は音声データを含むメディアデータを取得する第５取得手段と、
前記第５取得手段で取得される前記第１端末装置からのメディアデータを、第１圧縮率より圧縮率が高い第２圧縮率とする高圧縮指示が、前記確立手段によって前記第１端末装置との間の遠隔会議のセッションが確立された第１タイミングにおいて、前記第１端末装置に送信されるように制御する第２送信手段と、
前記第５取得手段で取得された前記第１端末装置からのメディアデータが、前記確立手段によって遠隔会議のセッションが確立された前記第２端末装置に送信されるように制御し、前記第５取得手段で取得された前記第２端末装置からのメディアデータが、前記確立手段によって遠隔会議のセッションが確立された前記第１端末装置に送信されるように制御する第３送信手段と、を備え、
前記第５取得手段は、前記第２送信手段によって送信された前記高圧縮指示を取得した前記第１端末装置から、前記第２圧縮率のメディアデータを取得し、
前記第３送信手段は、前記第５取得手段で取得された前記第１端末装置からの前記第２圧縮率のメディアデータが、前記第２端末装置に送信されるように制御する、会議サーバ。
【請求項５】
ネットワークに接続される第１端末装置及び第２端末装置による遠隔会議のための遠隔会議システムに含まれ、前記ネットワークに接続される会議サーバで行われる通信方法であって、
前記第１端末装置からの要求に応じ、前記会議サーバと前記第１端末装置との間の遠隔会議のセッションを確立し、前記第２端末装置からの要求に応じ、前記会議サーバと前記第２端末装置との間の遠隔会議のセッションを確立する確立工程と、
前記確立工程によって遠隔会議のセッションが確立された前記第１端末装置から送信された、画像データ又は音声データを含むメディアデータを取得し、前記確立工程によって遠隔会議のセッションが確立された前記第２端末装置から送信された、画像データ又は音声データを含むメディアデータを取得するメディア取得工程と、
前記メディア取得工程で取得された前記第１端末装置からのメディアデータを、前記確立工程によって遠隔会議のセッションが確立された前記第２端末装置に送信し、前記メディア取得工程で取得された前記第２端末装置からのメディアデータを、前記確立工程によって遠隔会議のセッションが確立された前記第１端末装置に送信するメディア送信工程と、
前記メディア取得工程で取得された前記第１端末装置からのメディアデータを、第１圧縮率より圧縮率が高い第２圧縮率のメディアデータに変換する高圧縮指示を、前記確立工程によって前記第１端末装置との間の遠隔会議のセッションが確立された第１タイミングにおいて、前記会議サーバに設定する設定工程と、
前記設定工程によって設定された前記高圧縮指示に従い、前記メディア取得工程で取得された前記第１端末装置からのメディアデータから生成された前記第２圧縮率のメディアデータを取得する変換取得工程と、を含み、
前記メディア取得工程は、前記第１端末装置から、前記第１圧縮率のメディアデータを取得し、
前記メディア送信工程は、前記変換取得工程で取得された前記第２圧縮率のメディアデータを、前記第２端末装置に送信する、通信方法。
【請求項６】
ネットワークに接続される第１端末装置及び第２端末装置による遠隔会議のための遠隔会議システムに含まれ、前記ネットワークに接続される会議サーバで行われる通信方法であって、
前記第１端末装置からの要求に応じ、前記会議サーバと前記第１端末装置との間の遠隔会議のセッションを確立し、前記第２端末装置からの要求に応じ、前記会議サーバと前記第２端末装置との間の遠隔会議のセッションを確立する確立工程と、
前記確立工程によって遠隔会議のセッションが確立された前記第１端末装置から送信された、画像データ又は音声データを含むメディアデータを取得し、前記確立工程によって遠隔会議のセッションが確立された前記第２端末装置から送信された、画像データ又は音声データを含むメディアデータを取得するメディア取得工程と、
前記メディア取得工程で取得される前記第１端末装置からのメディアデータを、第１圧縮率より圧縮率が高い第２圧縮率とする高圧縮指示を、前記確立工程によって前記第１端末装置との間の遠隔会議のセッションが確立された第１タイミングにおいて、前記第１端末装置に送信する指示送信工程と、
前記メディア取得工程で取得された前記第１端末装置からのメディアデータを、前記確立工程によって遠隔会議のセッションが確立された前記第２端末装置に送信し、前記メディア取得工程で取得された前記第２端末装置からのメディアデータを、前記確立工程によって遠隔会議のセッションが確立された前記第１端末装置に送信するメディア送信工程と、を含み、
前記メディア取得工程は、前記指示送信工程によって送信された前記高圧縮指示を取得した前記第１端末装置から、前記第２圧縮率のメディアデータを取得し、
前記メディア送信工程は、前記メディア取得工程で取得された前記第１端末装置からの前記第２圧縮率のメディアデータを、前記第２端末装置に送信する、通信方法。
【請求項７】
ネットワークに接続される第１端末装置及び第２端末装置による遠隔会議のための遠隔会議システムに含まれ、前記ネットワークに接続される会議サーバを制御する制御部が読み取り可能なコンピュータプログラムであって、
前記制御部を、
前記第１端末装置からの要求に応じ、前記会議サーバと前記第１端末装置との間の遠隔会議のセッションを確立し、前記第２端末装置からの要求に応じ、前記会議サーバと前記第２端末装置との間の遠隔会議のセッションを確立する確立手段と、
前記確立手段によって遠隔会議のセッションが確立された前記第１端末装置から送信された、画像データ又は音声データを含むメディアデータを取得し、前記確立手段によって遠隔会議のセッションが確立された前記第２端末装置から送信された、画像データ又は音声データを含むメディアデータを取得する第１取得手段と、
前記第１取得手段で取得された前記第１端末装置からのメディアデータが、前記確立手段によって遠隔会議のセッションが確立された前記第２端末装置に送信されるように制御し、前記第１取得手段で取得された前記第２端末装置からのメディアデータが、前記確立手段によって遠隔会議のセッションが確立された前記第１端末装置に送信されるように制御する第１送信手段と、
前記第１取得手段で取得された前記第１端末装置からのメディアデータを、第１圧縮率より圧縮率が高い第２圧縮率のメディアデータに変換する高圧縮指示を、前記確立手段によって前記第１端末装置との間の遠隔会議のセッションが確立された第１タイミングにおいて、前記会議サーバに設定する設定手段と、
前記設定手段によって設定された前記高圧縮指示に従い、前記第１取得手段で取得された前記第１端末装置からのメディアデータから生成された前記第２圧縮率のメディアデータを取得する第２取得手段と、して機能させ、
前記第１取得手段は、前記第１端末装置から、前記第１圧縮率のメディアデータを取得する機能を含み、
前記第１送信手段は、前記第２取得手段で取得された前記第２圧縮率のメディアデータが、前記第２端末装置に送信されるように制御する機能を含む、コンピュータプログラム。
【請求項８】
ネットワークに接続される第１端末装置及び第２端末装置による遠隔会議のための遠隔会議システムに含まれ、前記ネットワークに接続される会議サーバを制御する制御部が読み取り可能なコンピュータプログラムであって、
前記制御部を、
前記第１端末装置からの要求に応じ、前記会議サーバと前記第１端末装置との間の遠隔会議のセッションを確立し、前記第２端末装置からの要求に応じ、前記会議サーバと前記第２端末装置との間の遠隔会議のセッションを確立する確立手段と、
前記確立手段によって遠隔会議のセッションが確立された前記第１端末装置から送信された、画像データ又は音声データを含むメディアデータを取得し、前記確立手段によって遠隔会議のセッションが確立された前記第２端末装置から送信された、画像データ又は音声データを含むメディアデータを取得する第５取得手段と、
前記第５取得手段で取得される前記第１端末装置からのメディアデータを、第１圧縮率より圧縮率が高い第２圧縮率とする高圧縮指示が、前記確立手段によって前記第１端末装置との間の遠隔会議のセッションが確立された第１タイミングにおいて、前記第１端末装置に送信されるように制御する第２送信手段と、
前記第５取得手段で取得された前記第１端末装置からのメディアデータが、前記確立手段によって遠隔会議のセッションが確立された前記第２端末装置に送信されるように制御し、前記第５取得手段で取得された前記第２端末装置からのメディアデータが、前記確立手段によって遠隔会議のセッションが確立された前記第１端末装置に送信されるように制御する第３送信手段と、して機能させ、
前記第５取得手段は、前記第２送信手段によって送信された前記高圧縮指示を取得した前記第１端末装置から、前記第２圧縮率のメディアデータを取得する機能を含み、
前記第３送信手段は、前記第５取得手段で取得された前記第１端末装置からの前記第２圧縮率のメディアデータが、前記第２端末装置に送信されるように制御する機能を含む、コンピュータプログラム。
【請求項９】
ネットワークを介して互いに接続される、会議サーバと、第１端末装置と、第２端末装置と、を含む遠隔会議システムであって、
前記会議サーバは、
前記第１端末装置からの要求に応じ、前記会議サーバと前記第１端末装置との間の遠隔会議のセッションを確立し、前記第２端末装置からの要求に応じ、前記会議サーバと前記第２端末装置との間の遠隔会議のセッションを確立する第１確立手段と、
前記第１確立手段によって遠隔会議のセッションが確立された前記第１端末装置から送信された、画像データ又は音声データを含むメディアデータを取得し、前記第１確立手段によって遠隔会議のセッションが確立された前記第２端末装置から送信された、画像データ又は音声データを含むメディアデータを取得する第１取得手段と、
前記第１取得手段で取得された前記第１端末装置からのメディアデータが、前記第１確立手段によって遠隔会議のセッションが確立された前記第２端末装置に送信されるように制御し、前記第１取得手段で取得された前記第２端末装置からのメディアデータが、前記第１確立手段によって遠隔会議のセッションが確立された前記第１端末装置に送信されるように制御する第１送信手段と、
前記第１取得手段で取得された前記第１端末装置からのメディアデータを、第１圧縮率より圧縮率が高い第２圧縮率のメディアデータに変換する高圧縮指示を、前記第１確立手段によって前記第１端末装置との間の遠隔会議のセッションが確立された第１タイミングにおいて、前記会議サーバに設定する設定手段と、
前記設定手段によって設定された前記高圧縮指示に従い、前記第１取得手段で取得された前記第１端末装置からのメディアデータから生成された前記第２圧縮率のメディアデータを取得する第２取得手段と、を備え、
前記第１取得手段は、前記第１端末装置から、前記第１圧縮率のメディアデータを取得し、
前記第１送信手段は、前記第２取得手段で取得された前記第２圧縮率のメディアデータが、前記第２端末装置に送信されるように制御し、
前記第１端末装置は、
前記会議サーバに、遠隔会議のセッションの確立を要求し、前記会議サーバと前記第１端末装置との間の遠隔会議のセッションを確立する第２確立手段と、
前記第１端末装置で取得された前記第１圧縮率のメディアデータが、前記第２確立手段によって遠隔会議のセッションが確立された前記会議サーバに送信されるように制御する第４送信手段と、
前記第２確立手段によって遠隔会議のセッションが確立された前記会議サーバから送信された前記第２端末装置からのメディアデータを取得する第６取得手段と、を備え、
前記第２端末装置は、
前記会議サーバに、遠隔会議のセッションの確立を要求し、前記会議サーバと前記第２端末装置との間の遠隔会議のセッションを確立する第３確立手段と、
前記第２端末装置で取得されたメディアデータが、前記第３確立手段によって遠隔会議のセッションが確立された前記会議サーバに送信されるように制御する第５送信手段と、
前記第３確立手段によって遠隔会議のセッションが確立された前記会議サーバから送信された前記第２圧縮率のメディアデータを取得する第７取得手段と、を備える、遠隔会議システム。
【請求項１０】
ネットワークを介して互いに接続される、会議サーバと、第１端末装置と、第２端末装置と、を含む遠隔会議システムであって、
前記会議サーバは、
前記第１端末装置からの要求に応じ、前記会議サーバと前記第１端末装置との間の遠隔会議のセッションを確立し、前記第２端末装置からの要求に応じ、前記会議サーバと前記第２端末装置との間の遠隔会議のセッションを確立する第１確立手段と、
前記第１確立手段によって遠隔会議のセッションが確立された前記第１端末装置から送信された、画像データ又は音声データを含むメディアデータを取得し、前記第１確立手段によって遠隔会議のセッションが確立された前記第２端末装置から送信された、画像データ又は音声データを含むメディアデータを取得する第５取得手段と、
前記第５取得手段で取得される前記第１端末装置からのメディアデータを、第１圧縮率より圧縮率が高い第２圧縮率とする高圧縮指示が、前記第１確立手段によって前記第１端末装置との間の遠隔会議のセッションが確立された第１タイミングにおいて、前記第１端末装置に送信されるように制御する第２送信手段と、
前記第５取得手段で取得された前記第１端末装置からのメディアデータが、前記第１確立手段によって遠隔会議のセッションが確立された前記第２端末装置に送信されるように制御し、前記第５取得手段で取得された前記第２端末装置からのメディアデータが、前記第１確立手段によって遠隔会議のセッションが確立された前記第１端末装置に送信されるように制御する第３送信手段と、を備え、
前記第５取得手段は、前記第２送信手段によって送信された前記高圧縮指示を取得した前記第１端末装置から、前記第２圧縮率のメディアデータを取得し、
前記第３送信手段は、前記第５取得手段で取得された前記第１端末装置からの前記第２圧縮率のメディアデータが、前記第２端末装置に送信されるように制御し、
前記第１端末装置は、
前記会議サーバに、遠隔会議のセッションの確立を要求し、前記会議サーバと前記第１端末装置との間の遠隔会議のセッションを確立する第２確立手段と、
前記第２確立手段によって遠隔会議のセッションが確立された前記会議サーバから送信された前記高圧縮指示を取得する第８取得手段と、
前記第８取得手段で取得された前記高圧縮指示に従い、前記第１端末装置で取得された画像データ又は音声データを前記第２圧縮率に圧縮した前記第２圧縮率のメディアデータが、前記第２確立手段によって遠隔会議のセッションが確立された前記会議サーバに送信されるように制御する第６送信手段と、
前記第２確立手段によって遠隔会議のセッションが確立された前記会議サーバから送信された前記第２端末装置からのメディアデータを取得する第９取得手段と、を備え、
前記第２端末装置は、
前記会議サーバに、遠隔会議のセッションの確立を要求し、前記会議サーバと前記第２端末装置との間の遠隔会議のセッションを確立する第３確立手段と、
前記第２端末装置で取得されたメディアデータが、前記第３確立手段によって遠隔会議のセッションが確立された前記会議サーバに送信されるように制御する第７送信手段と、
前記第３確立手段によって遠隔会議のセッションが確立された前記会議サーバから送信された前記第２圧縮率のメディアデータを取得する第１０取得手段と、を備える、遠隔会議システム。
【発明の詳細な説明】
【技術分野】
【０００１】
本発明は、ネットワークを介した遠隔会議のための遠隔会議システムに含まれる会議サーバと、遠隔会議システムに関する。
【背景技術】
【０００２】
ネットワークを介した遠隔会議に関する技術が提案されている。例えば、特許文献１には、会議のメンバー数に応じて帯域幅を自動的に設定する技術が開示されている。この技術では、始動用通信端末は、会議の一員となるべき他の通信端末の各々と低速データリンクを確立する。他の通信端末の全ユーザが会議の準備ができている時、他の通信端末は始動用通信端末に信号を発し、始動用通信端末は、帯域幅を追加する。
【先行技術文献】
【特許文献】
【０００３】
【特許文献１】特開平８−３３１１２４号公報
【発明の概要】
【発明が解決しようとする課題】
【０００４】
画像（映像）及び音声の少なくとも一方を利用した遠隔会議システムが実用化されている。遠隔会議システムでは、遠隔会議に参加する複数の端末装置は、会議サーバに、メディアデータをそれぞれ送信する。各端末装置から送信されるメディアデータは、各端末装置での撮影又は集音に伴い取得された画像及び音声の少なくとも一方を含む。会議サーバは、各端末装置から送信されるメディアデータを受信する。会議サーバは、受信に伴い取得された端末装置毎のメディアデータを、各端末装置に送信する。これによって、各端末装置で、自装置を含む端末装置の画像又は音声が出力されて、遠隔会議が実現される。
【０００５】
会議サーバを中心として、ネットワークを介して各端末装置にメディアデータを送信した場合、通信速度（通信帯域）及び／又はネットワークの輻輳等に起因して、一部又は全部の端末装置で、メディアデータに基づいた画像又は音声の出力が好適に行えない場合がある。その結果、スムーズな会議進行が妨げられる場合もある。
【０００６】
本発明は、遠隔会議に参加している各端末装置との間でのデータ通信を好適に行うことができる、会議サーバ、通信方法、コンピュータプログラム及び遠隔会議システムを提供することを目的とする。
【課題を解決するための手段】
【０００７】
本発明の一側面は、ネットワークに接続される第１端末装置及び第２端末装置による遠隔会議のための遠隔会議システムに含まれ、前記ネットワークに接続される会議サーバであって、前記第１端末装置からの要求に応じ、前記会議サーバと前記第１端末装置との間の遠隔会議のセッションを確立し、前記第２端末装置からの要求に応じ、前記会議サーバと前記第２端末装置との間の遠隔会議のセッションを確立する確立手段と、前記確立手段によって遠隔会議のセッションが確立された前記第１端末装置から送信された、画像データ又は音声データを含むメディアデータを取得し、前記確立手段によって遠隔会議のセッションが確立された前記第２端末装置から送信された、画像データ又は音声データを含むメディアデータを取得する第１取得手段と、前記第１取得手段で取得された前記第１端末装置からのメディアデータが、前記確立手段によって遠隔会議のセッションが確立された前記第２端末装置に送信されるように制御し、前記第１取得手段で取得された前記第２端末装置からのメディアデータが、前記確立手段によって遠隔会議のセッションが確立された前記第１端末装置に送信されるように制御する第１送信手段と、前記第１取得手段で取得された前記第１端末装置からのメディアデータを、第１圧縮率より圧縮率が高い第２圧縮率のメディアデータに変換する高圧縮指示を、前記確立手段によって前記第１端末装置との間の遠隔会議のセッションが確立された第１タイミングにおいて、前記会議サーバに設定する設定手段と、前記設定手段によって設定された前記高圧縮指示に従い、前記第１取得手段で取得された前記第１端末装置からのメディアデータから生成された前記第２圧縮率のメディアデータを取得する第２取得手段と、を備え、前記第１取得手段は、前記第１端末装置から、前記第１圧縮率のメディアデータを取得し、前記第１送信手段は、前記第２取得手段で取得された前記第２圧縮率のメディアデータが、前記第２端末装置に送信されるように制御する、会議サーバ、である。
【０００８】
これによれば、会議サーバから第２端末装置に送信される第１端末装置からのメディアデータのデータ量を抑制することができる。ネットワークの輻輳を改善することが可能となる。
【０００９】
この会議サーバは、次のようにしてもよい。前記第１タイミング後の第２タイミング以降に行われる、前記第２端末装置からのメディアデータの送信において、基準となる基準期間内のデータ転送量を取得する第３取得手段と、前記第３取得手段で取得された前記第２端末装置からの送信についてのデータ転送量と、基準となる基準転送量と、を比較する比較手段と、を備え、前記設定手段は、前記第２端末装置からの送信についてのデータ転送量が、前記基準転送量より低い場合、前記高圧縮指示を、前記会議サーバに再設定し、前記第２取得手段は、前記設定手段によって再設定された前記高圧縮指示に従い、前記第１取得手段で前記第１端末装置から取得された前記第１圧縮率のメディアデータから生成された前記第２圧縮率のメディアデータを取得する、ようにしてもよい。
【００１０】
これによれば、第２端末装置からのデータ転送量が基準転送量より低い場合に、第２端末装置へ送信される第１端末装置からのメディアデータのデータ量を、継続して抑制することができる。
【００１１】
特定の情報を含む資料に対応した資料データを前記第１端末装置及び前記第２端末装置で共有する共有指示を取得する第４取得手段を備え、前記設定手段は、前記第４取得手段で前記共有指示が取得された場合、前記会議サーバに設定された前記高圧縮指示を、前記第１圧縮率に対応した低圧縮指示とし、前記第１送信手段は、前記第１取得手段で取得された前記第１端末装置からの前記第１圧縮率のメディアデータが、前記第２端末装置に送信されるように制御する、ようにしてもよい。
【００１２】
これによれば、共有指示に基づき、第１端末装置からのメディアデータを第１圧縮率の状態で第２端末装置に送信することができる。第２端末装置は、好適な品質のメディアデータを取得することができる。資料データを共有しようとするような状態は、第１端末装置及び第２端末装置による遠隔会議が開始された後、具体的な議論が開始される状態であると推定することができる。そのため、遠隔会議での具体的な議論の開始に合わせ、第２端末装置に送信される第１端末装置からのメディアデータの品質を向上させることができる。
【００１３】
本発明の他の側面は、ネットワークに接続される第１端末装置及び第２端末装置による遠隔会議のための遠隔会議システムに含まれ、前記ネットワークに接続される会議サーバであって、前記第１端末装置からの要求に応じ、前記会議サーバと前記第１端末装置との間の遠隔会議のセッションを確立し、前記第２端末装置からの要求に応じ、前記会議サーバと前記第２端末装置との間の遠隔会議のセッションを確立する確立手段と、前記確立手段によって遠隔会議のセッションが確立された前記第１端末装置から送信された、画像データ又は音声データを含むメディアデータを取得し、前記確立手段によって遠隔会議のセッションが確立された前記第２端末装置から送信された、画像データ又は音声データを含むメディアデータを取得する第５取得手段と、前記第５取得手段で取得される前記第１端末装置からのメディアデータを、第１圧縮率より圧縮率が高い第２圧縮率とする高圧縮指示が、前記確立手段によって前記第１端末装置との間の遠隔会議のセッションが確立された第１タイミングにおいて、前記第１端末装置に送信されるように制御する第２送信手段と、前記第５取得手段で取得された前記第１端末装置からのメディアデータが、前記確立手段によって遠隔会議のセッションが確立された前記第２端末装置に送信されるように制御し、前記第５取得手段で取得された前記第２端末装置からのメディアデータが、前記確立手段によって遠隔会議のセッションが確立された前記第１端末装置に送信されるように制御する第３送信手段と、を備え、前記第５取得手段は、前記第２送信手段によって送信された前記高圧縮指示を取得した前記第１端末装置から、前記第２圧縮率のメディアデータを取得し、前記第３送信手段は、前記第５取得手段で取得された前記第１端末装置からの前記第２圧縮率のメディアデータが、前記第２端末装置に送信されるように制御する、会議サーバ、である。
【００１４】
これによれば、第１端末装置から会議サーバを経由して第２端末装置に送信される第１端末装置からのメディアデータのデータ量を抑制することができる。第１端末装置からのメディアデータを第２端末装置に転送する場合において、ネットワークの輻輳を改善することが可能となる。
【００１５】
本発明のさらに他の側面は、ネットワークに接続される第１端末装置及び第２端末装置による遠隔会議のための遠隔会議システムに含まれ、前記ネットワークに接続される会議サーバで行われる通信方法であって、前記第１端末装置からの要求に応じ、前記会議サーバと前記第１端末装置との間の遠隔会議のセッションを確立し、前記第２端末装置からの要求に応じ、前記会議サーバと前記第２端末装置との間の遠隔会議のセッションを確立する確立工程と、前記確立工程によって遠隔会議のセッションが確立された前記第１端末装置から送信された、画像データ又は音声データを含むメディアデータを取得し、前記確立工程によって遠隔会議のセッションが確立された前記第２端末装置から送信された、画像データ又は音声データを含むメディアデータを取得するメディア取得工程と、前記メディア取得工程で取得された前記第１端末装置からのメディアデータを、前記確立工程によって遠隔会議のセッションが確立された前記第２端末装置に送信し、前記メディア取得工程で取得された前記第２端末装置からのメディアデータを、前記確立工程によって遠隔会議のセッションが確立された前記第１端末装置に送信するメディア送信工程と、前記メディア取得工程で取得された前記第１端末装置からのメディアデータを、第１圧縮率より圧縮率が高い第２圧縮率のメディアデータに変換する高圧縮指示を、前記確立工程によって前記第１端末装置との間の遠隔会議のセッションが確立された第１タイミングにおいて、前記会議サーバに設定する設定工程と、前記設定工程によって設定された前記高圧縮指示に従い、前記メディア取得工程で取得された前記第１端末装置からのメディアデータから生成された前記第２圧縮率のメディアデータを取得する変換取得工程と、を含み、前記メディア取得工程は、前記第１端末装置から、前記第１圧縮率のメディアデータを取得し、前記メディア送信工程は、前記変換取得工程で取得された前記第２圧縮率のメディアデータを、前記第２端末装置に送信する、通信方法、である。
【００１６】
これによれば、会議サーバから第２端末装置に送信される第１端末装置からのメディアデータのデータ量を抑制することができる。ネットワークの輻輳を改善することが可能となる。この通信方法は、上述した本発明の一側面に係る会議サーバであって、上述した他の要素をさらに含む会議サーバで行われる通信方法として特定されてもよい。
【００１７】
本発明のさらに他の側面は、ネットワークに接続される第１端末装置及び第２端末装置による遠隔会議のための遠隔会議システムに含まれ、前記ネットワークに接続される会議サーバで行われる通信方法であって、前記第１端末装置からの要求に応じ、前記会議サーバと前記第１端末装置との間の遠隔会議のセッションを確立し、前記第２端末装置からの要求に応じ、前記会議サーバと前記第２端末装置との間の遠隔会議のセッションを確立する確立工程と、前記確立工程によって遠隔会議のセッションが確立された前記第１端末装置から送信された、画像データ又は音声データを含むメディアデータを取得し、前記確立工程によって遠隔会議のセッションが確立された前記第２端末装置から送信された、画像データ又は音声データを含むメディアデータを取得するメディア取得工程と、前記メディア取得工程で取得される前記第１端末装置からのメディアデータを、第１圧縮率より圧縮率が高い第２圧縮率とする高圧縮指示を、前記確立工程によって前記第１端末装置との間の遠隔会議のセッションが確立された第１タイミングにおいて、前記第１端末装置に送信する指示送信工程と、前記メディア取得工程で取得された前記第１端末装置からのメディアデータを、前記確立工程によって遠隔会議のセッションが確立された前記第２端末装置に送信し、前記メディア取得工程で取得された前記第２端末装置からのメディアデータを、前記確立工程によって遠隔会議のセッションが確立された前記第１端末装置に送信するメディア送信工程と、を含み、前記メディア取得工程は、前記指示送信工程によって送信された前記高圧縮指示を取得した前記第１端末装置から、前記第２圧縮率のメディアデータを取得し、前記メディア送信工程は、前記メディア取得工程で取得された前記第１端末装置からの前記第２圧縮率のメディアデータを、前記第２端末装置に送信する、通信方法である。
【００１８】
これによれば、第１端末装置から会議サーバを経由して第２端末装置に送信される第１端末装置からのメディアデータのデータ量を抑制することができる。第１端末装置からのメディアデータを第２端末装置に転送する場合において、ネットワークの輻輳を改善することが可能となる。
【００１９】
本発明のさらに他の側面は、ネットワークに接続される第１端末装置及び第２端末装置による遠隔会議のための遠隔会議システムに含まれ、前記ネットワークに接続される会議サーバを制御する制御部が読み取り可能なコンピュータプログラムであって、前記制御部を、前記第１端末装置からの要求に応じ、前記会議サーバと前記第１端末装置との間の遠隔会議のセッションを確立し、前記第２端末装置からの要求に応じ、前記会議サーバと前記第２端末装置との間の遠隔会議のセッションを確立する確立手段と、前記確立手段によって遠隔会議のセッションが確立された前記第１端末装置から送信された、画像データ又は音声データを含むメディアデータを取得し、前記確立手段によって遠隔会議のセッションが確立された前記第２端末装置から送信された、画像データ又は音声データを含むメディアデータを取得する第１取得手段と、前記第１取得手段で取得された前記第１端末装置からのメディアデータが、前記確立手段によって遠隔会議のセッションが確立された前記第２端末装置に送信されるように制御し、前記第１取得手段で取得された前記第２端末装置からのメディアデータが、前記確立手段によって遠隔会議のセッションが確立された前記第１端末装置に送信されるように制御する第１送信手段と、前記第１取得手段で取得された前記第１端末装置からのメディアデータを、第１圧縮率より圧縮率が高い第２圧縮率のメディアデータに変換する高圧縮指示を、前記確立手段によって前記第１端末装置との間の遠隔会議のセッションが確立された第１タイミングにおいて、前記会議サーバに設定する設定手段と、前記設定手段によって設定された前記高圧縮指示に従い、前記第１取得手段で取得された前記第１端末装置からのメディアデータから生成された前記第２圧縮率のメディアデータを取得する第２取得手段と、して機能させ、前記第１取得手段は、前記第１端末装置から、前記第１圧縮率のメディアデータを取得する機能を含み、前記第１送信手段は、前記第２取得手段で取得された前記第２圧縮率のメディアデータが、前記第２端末装置に送信されるように制御する機能を含む、コンピュータプログラム、である。
【００２０】
これによれば、会議サーバから第２端末装置に送信される第１端末装置からのメディアデータのデータ量を抑制可能な会議サーバを実現することができる。ネットワークの輻輳を改善することが可能となる。このコンピュータプログラムは、上述した本発明の一側面に係る会議サーバであって、上述した他の要素をさらに含む会議サーバのためのコンピュータプログラムとして特定されてもよい。
【００２１】
本発明のさらに他の側面は、ネットワークに接続される第１端末装置及び第２端末装置による遠隔会議のための遠隔会議システムに含まれ、前記ネットワークに接続される会議サーバを制御する制御部が読み取り可能なコンピュータプログラムであって、前記制御部を、前記第１端末装置からの要求に応じ、前記会議サーバと前記第１端末装置との間の遠隔会議のセッションを確立し、前記第２端末装置からの要求に応じ、前記会議サーバと前記第２端末装置との間の遠隔会議のセッションを確立する確立手段と、前記確立手段によって遠隔会議のセッションが確立された前記第１端末装置から送信された、画像データ又は音声データを含むメディアデータを取得し、前記確立手段によって遠隔会議のセッションが確立された前記第２端末装置から送信された、画像データ又は音声データを含むメディアデータを取得する第５取得手段と、前記第５取得手段で取得される前記第１端末装置からのメディアデータを、第１圧縮率より圧縮率が高い第２圧縮率とする高圧縮指示が、前記確立手段によって前記第１端末装置との間の遠隔会議のセッションが確立された第１タイミングにおいて、前記第１端末装置に送信されるように制御する第２送信手段と、前記第５取得手段で取得された前記第１端末装置からのメディアデータが、前記確立手段によって遠隔会議のセッションが確立された前記第２端末装置に送信されるように制御し、前記第５取得手段で取得された前記第２端末装置からのメディアデータが、前記確立手段によって遠隔会議のセッションが確立された前記第１端末装置に送信されるように制御する第３送信手段と、して機能させ、前記第５取得手段は、前記第２送信手段によって送信された前記高圧縮指示を取得した前記第１端末装置から、前記第２圧縮率のメディアデータを取得する機能を含み、前記第３送信手段は、前記第５取得手段で取得された前記第１端末装置からの前記第２圧縮率のメディアデータが、前記第２端末装置に送信されるように制御する機能を含む、コンピュータプログラム、である。
【００２２】
これによれば、第１端末装置から会議サーバを経由して第２端末装置に送信される第１端末装置からのメディアデータのデータ量を抑制可能な会議サーバを実現することができる。第１端末装置からのメディアデータを第２端末装置に転送する場合において、ネットワークの輻輳を改善することが可能となる。
【００２３】
本発明のさらに他の側面は、ネットワークを介して互いに接続される、会議サーバと、第１端末装置と、第２端末装置と、を含む遠隔会議システムであって、前記会議サーバは、前記第１端末装置からの要求に応じ、前記会議サーバと前記第１端末装置との間の遠隔会議のセッションを確立し、前記第２端末装置からの要求に応じ、前記会議サーバと前記第２端末装置との間の遠隔会議のセッションを確立する第１確立手段と、前記第１確立手段によって遠隔会議のセッションが確立された前記第１端末装置から送信された、画像データ又は音声データを含むメディアデータを取得し、前記第１確立手段によって遠隔会議のセッションが確立された前記第２端末装置から送信された、画像データ又は音声データを含むメディアデータを取得する第１取得手段と、前記第１取得手段で取得された前記第１端末装置からのメディアデータが、前記第１確立手段によって遠隔会議のセッションが確立された前記第２端末装置に送信されるように制御し、前記第１取得手段で取得された前記第２端末装置からのメディアデータが、前記第１確立手段によって遠隔会議のセッションが確立された前記第１端末装置に送信されるように制御する第１送信手段と、前記第１取得手段で取得された前記第１端末装置からのメディアデータを、第１圧縮率より圧縮率が高い第２圧縮率のメディアデータに変換する高圧縮指示を、前記第１確立手段によって前記第１端末装置との間の遠隔会議のセッションが確立された第１タイミングにおいて、前記会議サーバに設定する設定手段と、前記設定手段によって設定された前記高圧縮指示に従い、前記第１取得手段で取得された前記第１端末装置からのメディアデータから生成された前記第２圧縮率のメディアデータを取得する第２取得手段と、を備え、前記第１取得手段は、前記第１端末装置から、前記第１圧縮率のメディアデータを取得し、前記第１送信手段は、前記第２取得手段で取得された前記第２圧縮率のメディアデータが、前記第２端末装置に送信されるように制御し、前記第１端末装置は、前記会議サーバに、遠隔会議のセッションの確立を要求し、前記会議サーバと前記第１端末装置との間の遠隔会議のセッションを確立する第２確立手段と、前記第１端末装置で取得された前記第１圧縮率のメディアデータが、前記第２確立手段によって遠隔会議のセッションが確立された前記会議サーバに送信されるように制御する第４送信手段と、前記第２確立手段によって遠隔会議のセッションが確立された前記会議サーバから送信された前記第２端末装置からのメディアデータを取得する第６取得手段と、を備え、前記第２端末装置は、前記会議サーバに、遠隔会議のセッションの確立を要求し、前記会議サーバと前記第２端末装置との間の遠隔会議のセッションを確立する第３確立手段と、前記第２端末装置で取得されたメディアデータが、前記第３確立手段によって遠隔会議のセッションが確立された前記会議サーバに送信されるように制御する第５送信手段と、前記第３確立手段によって遠隔会議のセッションが確立された前記会議サーバから送信された前記第２圧縮率のメディアデータを取得する第７取得手段と、を備える、遠隔会議システム、である。
【００２４】
これによれば、会議サーバから第２端末装置に送信される第１端末装置からのメディアデータのデータ量を抑制することができる。ネットワークの輻輳を改善することが可能となる。この遠隔会議システムにおいて会議サーバは、上述した本発明の一側面に係る会議サーバであって、上述した他の要素をさらに含む会議サーバとして特定されてもよい。
【００２５】
本発明のさらに他の側面は、ネットワークを介して互いに接続される、会議サーバと、第１端末装置と、第２端末装置と、を含む遠隔会議システムであって、前記会議サーバは、前記第１端末装置からの要求に応じ、前記会議サーバと前記第１端末装置との間の遠隔会議のセッションを確立し、前記第２端末装置からの要求に応じ、前記会議サーバと前記第２端末装置との間の遠隔会議のセッションを確立する第１確立手段と、前記第１確立手段によって遠隔会議のセッションが確立された前記第１端末装置から送信された、画像データ又は音声データを含むメディアデータを取得し、前記第１確立手段によって遠隔会議のセッションが確立された前記第２端末装置から送信された、画像データ又は音声データを含むメディアデータを取得する第５取得手段と、前記第５取得手段で取得される前記第１端末装置からのメディアデータを、第１圧縮率より圧縮率が高い第２圧縮率とする高圧縮指示が、前記第１確立手段によって前記第１端末装置との間の遠隔会議のセッションが確立された第１タイミングにおいて、前記第１端末装置に送信されるように制御する第２送信手段と、前記第５取得手段で取得された前記第１端末装置からのメディアデータが、前記第１確立手段によって遠隔会議のセッションが確立された前記第２端末装置に送信されるように制御し、前記第５取得手段で取得された前記第２端末装置からのメディアデータが、前記第１確立手段によって遠隔会議のセッションが確立された前記第１端末装置に送信されるように制御する第３送信手段と、を備え、前記第５取得手段は、前記第２送信手段によって送信された前記高圧縮指示を取得した前記第１端末装置から、前記第２圧縮率のメディアデータを取得し、前記第３送信手段は、前記第５取得手段で取得された前記第１端末装置からの前記第２圧縮率のメディアデータが、前記第２端末装置に送信されるように制御し、前記第１端末装置は、前記会議サーバに、遠隔会議のセッションの確立を要求し、前記会議サーバと前記第１端末装置との間の遠隔会議のセッションを確立する第２確立手段と、前記第２確立手段によって遠隔会議のセッションが確立された前記会議サーバから送信された前記高圧縮指示を取得する第８取得手段と、前記第８取得手段で取得された前記高圧縮指示に従い、前記第１端末装置で取得された画像データ又は音声データを前記第２圧縮率に圧縮した前記第２圧縮率のメディアデータが、前記第２確立手段によって遠隔会議のセッションが確立された前記会議サーバに送信されるように制御する第６送信手段と、前記第２確立手段によって遠隔会議のセッションが確立された前記会議サーバから送信された前記第２端末装置からのメディアデータを取得する第９取得手段と、を備え、前記第２端末装置は、前記会議サーバに、遠隔会議のセッションの確立を要求し、前記会議サーバと前記第２端末装置との間の遠隔会議のセッションを確立する第３確立手段と、前記第２端末装置で取得されたメディアデータが、前記第３確立手段によって遠隔会議のセッションが確立された前記会議サーバに送信されるように制御する第７送信手段と、前記第３確立手段によって遠隔会議のセッションが確立された前記会議サーバから送信された前記第２圧縮率のメディアデータを取得する第１０取得手段と、を備える、遠隔会議システム、である。
【００２６】
これによれば、第１端末装置から会議サーバを経由して第２端末装置に送信される第１端末装置からのメディアデータのデータ量を抑制することができる。第１端末装置からのメディアデータを第２端末装置に転送する場合において、ネットワークの輻輳を改善することが可能となる。
【発明の効果】
【００２７】
本発明によれば、遠隔会議に参加している各端末装置との間でのデータ通信を好適に行うことができる、会議サーバ、通信方法、コンピュータプログラム及び遠隔会議システムを得ることができる。
【図面の簡単な説明】
【００２８】
【図１】遠隔会議システムの概略を示す図である。
【図２】メディアデータ、共有指示及び資料データの送受信を説明する図である。（Ａ）は、第１の方法による資料データの共有に対応した図である。（Ｂ）は、第２の方法による資料データの共有に対応した図である。（Ｃ）は、第３の方法による資料データの共有に対応した図である。
【図３】端末装置の表示部で表示される遠隔会議画面の一例を示す図である。
【図４】遠隔会議システムで行われる遠隔会議に関する第１実施例の処理のシーケンス図である。
【図５】第１実施例の処理において会議サーバで実行される設定処理のフローチャートである。
【図６】第１実施例の処理において会議サーバで実行される変換取得処理のフローチャートである。
【図７】遠隔会議システムで行われる遠隔会議に関する第２実施例の処理のシーケンス図である。
【図８】第２実施例の処理において会議サーバで実行される指示送信処理のフローチャートである。
【図９】第２実施例の処理において端末装置で実行される取得送信処理のフローチャートである。
【図１０】第２実施例の処理において会議サーバで実行される合成処理のフローチャートである。
【発明を実施するための形態】
【００２９】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。また、他の構成を含むようにしてもよい。
【００３０】
＜遠隔会議システム＞
遠隔会議システム１０について、図１等を参照して説明する。遠隔会議システム１０は、図１に示すように、会議サーバ２０と、端末装置５０Ａ，５０Ｂを含む。以下では、これら２台の端末装置５０Ａ，５０Ｂによって行われる遠隔会議を例に説明する。遠隔会議システム１０による遠隔会議は、３台以上の端末装置で行われるようにしてもよい。端末装置５０Ａ，５０Ｂを区別しない場合、又は、これらを総称する場合、「端末装置５０」という。会議サーバ２０と、端末装置５０Ａ，５０Ｂは、ネットワーク８０に接続されている。ネットワーク８０は、例えば、インターネットのようなネットワークである。端末装置５０Ａ，５０Ｂによる遠隔会議は、会議サーバ２０を介して行われる。遠隔会議システム１０における遠隔会議は、例えば、テレビ会議、ビデオ会議又はウェブ会議等と称されることもある。
【００３１】
端末装置５０は、例えば、遠隔会議のためのコンピュータプログラムがインストールされた汎用のコンピュータ（例えば、パーソナルコンピュータ、又は、スマートフォンのような携帯端末装置）である。端末装置５０が汎用のコンピュータである場合、遠隔会議のためのコンピュータプログラムは、事前にインストールされていてもよいが、遠隔会議への参加に際し、端末装置５０が会議サーバ２０にアクセスした場合に、会議サーバ２０からネットワーク８０を介して各端末装置５０に送信され、そのタイミングでインストールされるようにしてもよい。事前のインストールは、光ディスクや半導体メモリ等の記憶媒体に保存されたコンピュータプログラムが、端末装置５０の読み取り部によって読み取られることで行われる。あるいは、事前のインストールは、ネットワーク８０を介して端末装置５０に接続されるサーバ（会議サーバ２０又は不図示のサーバ）のハードディスク等の記憶部に記憶されたコンピュータプログラムが、端末装置５０の通信部６０（後述）を介して受信されることで行われる。何れの形態とするかは、諸事情を考慮し、適宜決定される。端末装置５０は、会議サーバ２０を介して行われる遠隔会議のための専用端末であってもよい。なお、会議サーバ２０も、遠隔会議のためのコンピュータプログラムが記憶されたハードディスク等の記憶媒体を有する汎用のサーバであってよい。
【００３２】
遠隔会議システム１０では、図２（Ａ）〜（Ｃ）に示すように、メディアデータＡが、端末装置５０Ａから会議サーバ２０に継続して送信され、メディアデータＢが、端末装置５０Ｂから会議サーバ２０に継続して送信される。メディアデータＡは、端末装置５０Ａで取得された画像データ（映像データ）Ａ及び音声データＡを含む。メディアデータＢは、端末装置５０Ｂで取得された画像データＢ及び音声データＢを含む。図２（Ａ）〜（Ｃ）では、ネットワーク８０を省略している。
【００３３】
メディアデータＡ，Ｂを受信し、取得した会議サーバ２０は、メディアデータＤを、端末装置５０Ａ，５０Ｂにそれぞれ継続して送信する。メディアデータＤは、画像データＡ，Ｂと、音声データＡ，Ｂを含む。メディアデータＤにおける画像データＡ，Ｂは、合成された１つの画像データ（合成画像データ）であってもよい。同じく、メディアデータＤにおける音声データＡ，Ｂは、合成された１つの音声データ（合成音声データ）であってもよい。この場合、会議サーバ２０では、画像データＡ，Ｂの合成と、音声データＡ，Ｂの合成が制御される。前述した合成を前提として説明することとし、メディアデータＤは、画像データＡ，Ｂを合成した合成画像データと、音声データＡ，Ｂを合成した合成音声データを含むこととする。メディアデータＡ，Ｂ及びメディアデータＤの送受信は、これら各データをパケット化して行われる。
【００３４】
図３に示すように、端末装置５０Ａ，５０Ｂでは、メディアデータＤに含まれる合成画像データに対応した遠隔会議画面６４が表示される。遠隔会議画面６４は、画像６５Ａ，６５Ｂ，６５Ｃと、共有ボタン６６を含む。画像６５Ａは、合成画像データに含まれる画像データＡに対応した画像である。画像６５Ｂは、合成画像データに含まれる画像データＢに対応した画像である。遠隔会議システム１０による遠隔会議では、特定の情報を含む資料に対応した資料データが、端末装置５０Ａ，５０Ｂにおいて共有される。画像６５Ｃは、この資料データに対応した画像である。資料データとしては、ワープロソフト又はプレゼンテーションソフト等で作成された電子ファイルが例示される。共有ボタン６６は、資料データの共有を指示するための入力ボタンである。
【００３５】
資料データの共有は、例えば、次のようにして行われる。第１の方法（図２（Ａ）参照）では、端末装置５０Ａ，５０Ｂのうちの一方の端末装置５０で、画像６５Ａ，６５Ｂが表示（画像６５Ｃは非表示）された遠隔会議画面６４が表示されている状態で、ユーザが操作部７０（後述）を操作し、上述したような電子ファイル等が資料データとして予め選択され、共有ボタン６６が押下される。共有ボタン６６が押下された端末装置５０では、共有ボタン６６の押下に伴う共有指示と共に、選択された資料データが、会議サーバ２０に送信（アップロード）される（図２（Ａ）は、端末装置５０Ａから会議サーバ２０に共有指示と資料データが送信されている状態を示す）。共有指示と資料データは、会議サーバ２０へのメディアデータに含めて送信されるようにしてもよい。図２（Ａ）に基づけば、共有指示と資料データは、メディアデータＡに含めて送信される。共有ボタン６６が押下された端末装置５０では、資料データに対応した画像６５Ｃが、遠隔会議画面６４に、画像６５Ａ，６５Ｂと共に表示される（図３参照）。会議サーバ２０は、共有指示と資料データを受信し、これらを取得する。その後、会議サーバ２０は、取得した共有指示と資料データを、他方の端末装置５０に送信する（図２（Ａ）は、会議サーバ２０から端末装置５０Ｂに共有指示と資料データが送信されている状態を示す）。共有指示と資料データは、他方の端末装置５０へのメディアデータＤに含めて送信されるようにしてもよい。会議サーバ２０からの資料データの送信に際し、会議サーバ２０は、データ形式（ファイル形式）を変換し、変換後の資料データを送信するようにしてもよい。他方の端末装置５０は、共有指示と資料データを受信し、これらを取得する。他方の端末装置５０では、共有指示に従い、資料データに対応した画像６５Ｃが、遠隔会議画面６４に、画像６５Ａ，６５Ｂと共に表示される（図３参照）。
【００３６】
第２の方法（図２（Ｂ）参照）では、端末装置５０Ａ，５０Ｂに、上述したような電子ファイル等を、資料データとして事前に記憶させておく。資料データは、例えば、端末装置５０Ａ，５０Ｂの記憶部５６（後述）に記憶される。端末装置５０Ａ，５０Ｂのうちの一方の端末装置５０で、画像６５Ａ，６５Ｂが表示（画像６５Ｃは非表示）された遠隔会議画面６４が表示されている状態で、ユーザが操作部７０を操作し、共有ボタン６６が押下されると、共有ボタン６６の押下に伴う共有指示が、会議サーバ２０に送信される（図２（Ｂ）は、端末装置５０Ａから会議サーバ２０に共有指示が送信されている状態を示す）。共有指示は、会議サーバ２０へのメディアデータに含めて送信されるようにしてもよい。図２（Ｂ）に基づけば、共有指示は、メディアデータＡに含めて送信される。共有ボタン６６が押下された端末装置５０では、資料データに対応した画像６５Ｃが、遠隔会議画面６４に、画像６５Ａ，６５Ｂと共に表示される（図３参照）。会議サーバ２０は、共有指示を受信し、これを取得する。その後、会議サーバ２０は、取得した共有指示を、他方の端末装置５０に送信する（図２（Ｂ）は、会議サーバ２０から端末装置５０Ｂに共有指示が送信されている状態を示す）。共有指示は、他方の端末装置５０へのメディアデータＤに含めて送信されるようにしてもよい。他方の端末装置５０は、共有指示を受信し、これを取得する。そして、他方の端末装置５０では、共有指示に従い、資料データに対応した画像６５Ｃが、遠隔会議画面６４に、画像６５Ａ，６５Ｂと共に表示される（図３参照）。資料データが、複数頁分の画像によって構成されている場合もある。このような場合に対応するため、端末装置５０で既に遠隔会議画面６４内に表示されている画像６５Ｃを、次頁又は前頁に移動するような共有指示を定義するようにしてもよい。
【００３７】
第３の方法（図２（Ｃ）参照）では、端末装置５０Ａ，５０Ｂのうちの一方の端末装置５０で、画像６５Ａ，６５Ｂが表示（画像６５Ｃは非表示）された遠隔会議画面６４が表示されている状態で、ユーザが操作部７０を操作し、上述したような電子ファイル等を表示させるための操作が行われた場合、操作対象の電子ファイルが、資料データとして特定される。前述したような操作が行われた端末装置５０では、資料データに対応した画像６５Ｃが、遠隔会議画面６４に、画像６５Ａ，６５Ｂと共に表示される（図３参照）。画像６５Ｃが表示された端末装置５０では、共有指示と、資料データに対応した画像６５Ｃを表すデータが、会議サーバ２０に送信される（図２（Ｃ）は、端末装置５０Ａから会議サーバ２０に共有指示と画像６５Ｃを表すデータが送信されている状態を示す）。画像６５Ｃを表すデータは、表示部６２（後述）に遠隔会議画面６４を表示させるために生成された遠隔会議画面６４に対応したデータのうち、画像６５Ｃに対応した部分から生成されたデータである。この他、画像６５Ｃを表すデータは、資料データであってもよい。共有指示と、画像６５Ｃを表すデータは、会議サーバ２０へのメディアデータに含めて送信されるようにしてもよい。図２（Ｃ）に基づけば、共有指示と画像６５Ｃを表すデータは、メディアデータＡに含めて送信される。会議サーバ２０は、共有指示と画像６５Ｃを表すデータを受信し、これらを取得する。その後、会議サーバ２０は、取得した共有指示と画像６５Ｃを表すデータを、他方の端末装置５０に送信する（図２（Ｃ）は、会議サーバ２０から端末装置５０Ｂに共有指示と画像６５Ｃを表すデータが送信されている状態を示す）。共有指示と画像６５Ｃを表すデータは、他方の端末装置５０へのメディアデータＤに含めて送信されるようにしてもよい。他方の端末装置５０は、共有指示と画像６５Ｃを表すデータを受信し、これらを取得する。他方の端末装置５０では、共有指示に従い、取得したデータに対応した画像６５Ｃが、遠隔会議画面６４に、画像６５Ａ，６５Ｂと共に表示される（図３参照）。第３の方法では、共有ボタン６６は、省略してもよい。
【００３８】
なお、第１の方法及び第２の方法では、他方の端末装置５０（図２（Ａ），（Ｂ）に基づけば、端末装置５０Ｂ）への共有指示の送信は省略するようにしてもよい。この場合、他方の端末装置５０では、合成画像データ及び合成音声データとは別に、資料データ又は画像６５Ｃを表すデータが取得された場合、取得された資料データ又は画像６５Ｃを表すデータに対応した画像６５Ｃが、遠隔会議画面６４に、画像６５Ａ，６５Ｂと共に自動的に表示される。
【００３９】
端末装置５０Ａ，５０Ｂでは、メディアデータＤに含まれる合成音声データが、合成画像データに同期して再生されて出力される。従って、合成音声データに含まれる音声データＡによる音声と、合成音声データに含まれる音声データＢによる音声が、遠隔会議画面６４に含まれる画像６５Ａ，６５Ｂに合わせて出力される。遠隔会議システム１０では、このようにして遠隔会議が行われる。
【００４０】
＜会議サーバ＞
会議サーバ２０は、図１に示すように、ＣＰＵ２２と、ＲＯＭ２４と、記憶部２６と、ＲＡＭ２８と、計時部３０と、通信部３２と、表示部３４と、操作部３６を備える。ＣＰＵ２２は、演算処理を実行する。ＣＰＵ２２と、ＲＯＭ２４と、記憶部２６と、ＲＡＭ２８と、計時部３０と、通信部３２と、表示部３４と、操作部３６は、バス３８を介して接続されている。ＲＯＭ２４は、例えば、ＢＩＯＳ（Ｂａｓｉｃ  Ｉｎｐｕｔ／Ｏｕｔｐｕｔ  Ｓｙｓｔｅｍ）等のような、会議サーバ２０を起動させるためのコンピュータプログラムを記憶する。記憶部２６は、例えば、オペレーションシステムと、後述する処理（図５及び図６、又は、図８及び図１０参照）のためのコンピュータプログラムを含む各種のコンピュータプログラムを記憶する。ＲＡＭ２８は、ＣＰＵ２２が各種のコンピュータプログラムを実行する際に利用される記憶領域となる。ＲＡＭ２８には、各種の処理の実行途中に、処理で利用される所定のデータが記憶される。ＣＰＵ２２は、記憶部２６に記憶されたオペレーションシステム及び／又はコンピュータプログラムを実行する等して、会議サーバ２０を制御する。これによって、会議サーバ２０では、各種の処理が実行され、各種の機能が実現される。
【００４１】
計時部３０は、時計機能を有し、現在時刻を計測する。計時部３０は、例えば、オペレーションシステムに標準搭載される計時機能を利用することで達成されてもよい。通信部３２は、ネットワーク８０に接続され、ネットワーク８０を介した端末装置５０Ａ，５０Ｂとの通信を実行する。通信部３２は、例えば、端末装置５０Ａ，５０Ｂからそれぞれ送信されるメディアデータＡ，Ｂを受信し、端末装置５０Ａ，５０ＢにメディアデータＤをそれぞれ送信する。表示部３４は、諸情報を表示する。操作部３６は、所定のキー等を含み、ユーザからの操作指示を受け付けるインターフェースである。操作部３６は、キーボード及びマウス等によって構成される。
【００４２】
＜端末装置＞
端末装置５０Ａは、図１に示すように、ＣＰＵ５２と、ＲＯＭ５４と、記憶部５６と、ＲＡＭ５８と、通信部６０を備える。ＣＰＵ５２と、ＲＯＭ５４と、記憶部５６と、ＲＡＭ５８と、通信部６０は、バス７６を介して接続される。端末装置５０Ａには、表示部６２と、スピーカ６８と、操作部７０と、カメラ７２と、マイク７４が接続される。表示部６２と、スピーカ６８と、操作部７０と、カメラ７２と、マイク７４は、それぞれに対応して設けられるインターフェース回路（不図示）を介して、バス７６に接続される。図１では図示を省略しているが、端末装置５０Ｂは、端末装置５０Ａが備える上述した各部を備える。
【００４３】
ＣＰＵ５２は、演算処理を実行する。ＲＯＭ５４は、例えば、ＢＩＯＳ等のような端末装置５０を起動させるためのコンピュータプログラムを記憶する。記憶部５６は、オペレーションシステムと、会議サーバ２０との遠隔会議のためのコンピュータプログラムを記憶する。遠隔会議のためのコンピュータプログラムは、上述した通り、事前のインストールにより記憶部５６に記憶されていてもよいが、会議への参加に際し、端末装置５０が会議サーバ２０にアクセスしたタイミングでインストールされて記憶されるようにしてもよい。記憶部５６は、この他、ワープロソフト、プレゼンテーションソフト及び／又はビューワソフトのようなコンピュータプログラムを記憶する。ＲＡＭ５８は、ＣＰＵ５２が各種のコンピュータプログラムを実行する際に利用される記憶領域となる。ＲＡＭ５８には、各種の処理の実行途中に、処理で利用される所定のデータが記憶される。ＣＰＵ５２は、記憶部５６に記憶されたオペレーションシステム及び／又はコンピュータプログラムを実行する等して、端末装置５０を制御する。これによって、端末装置５０では、各種の処理が実行され、各種の機能が実現される。
【００４４】
通信部６０は、ネットワーク８０に接続され、ネットワーク８０を介した会議サーバ２０との通信を実行する。通信部６０による通信は、有線通信又は無線通信の何れであってもよい。端末装置５０Ａ，５０Ｂがそれぞれ備える通信部６０は、例えば、会議サーバ２０に、メディアデータＡ，Ｂをそれぞれ送信し、会議サーバ２０から送信されるメディアデータＤを受信する。表示部６２は、諸情報を表示する。例えば、表示部６２には、図３に示すような遠隔会議画面６４が表示される。スピーカ６８は、音声を出力する。例えば、遠隔会議が行われている場合、スピーカ６８からは、音声データＡ，Ｂを含む合成音声データに対応した音声がそれぞれ出力される。
【００４５】
操作部７０は、所定のキー等を含み、ユーザからの操作指示を受け付けるインターフェースである。端末装置５０が、例えば、パーソナルコンピュータである場合、操作部７０は、キーボード及びマウス等によって構成される。端末装置５０が、スマートフォンのような携帯端末装置である場合、操作部７０は、タッチパネル機能によって構成される場合もある。カメラ７２は、端末装置５０が存在する外界の像を撮影する。端末装置５０Ａのカメラ７２で撮影された画像は、画像データＡとされ、端末装置５０Ｂで撮影された画像は、画像データＢとされる。マイク７４は、端末装置５０が存在する外界の音声を集音する。端末装置５０Ａのマイク７４で集音された音声は、音声データＡとされ、端末装置５０Ｂのマイク７４で集音された音声は、音声データＢとされる。
【００４６】
＜遠隔会議に関する処理＞
遠隔会議システム１０で行われる遠隔会議に関する処理について、２つの実施例を説明する。
【００４７】
＜第１実施例＞
遠隔会議システム１０で行われる遠隔会議に関する第１実施例の処理について、図４を参照して説明する。遠隔会議システム１０では、例えば、次のようにして、遠隔会議のセッション（以下、「会議セッション」という）が確立される。即ち、遠隔会議システム１０では、遠隔会議の開催予定日時に先立ち、遠隔会議に参加する端末装置５０Ａ，５０Ｂのそれぞれに対応した各電子メールアドレスを宛先として、会議サーバ２０から電子メールが送信される。この電子メールは、端末装置５０Ａ、５０Ｂによる遠隔会議のためのＵＲＬ（Ｕｎｉｆｏｒｍ  Ｒｅｓｏｕｒｃｅ  Ｌｏｃａｔｏｒ）を含む。
【００４８】
端末装置５０Ａのユーザは、遠隔会議の開催予定日時に、前述したＵＲＬを対象として、端末装置５０Ａの操作部７０を操作等する。これに基づき、端末装置５０Ａは、会議サーバ２０にアクセスする。端末装置５０Ａと会議サーバ２０の間で、遠隔会議のセッション（以下、「会議セッション」という）を確立するための諸手続が実行され、両装置間で会議セッションが確立される（Ｔ１）。同様に、端末装置５０Ｂのユーザは、遠隔会議の開催予定日時に、前述したＵＲＬを対象として、端末装置５０Ｂの操作部７０を操作等する。これに基づき、端末装置５０Ｂは、会議サーバ２０にアクセスする。端末装置５０Ｂと会議サーバ２０の間で、会議セッションを確立するための諸手続が実行され、両装置間で会議セッションが確立される（Ｔ２）。
【００４９】
端末装置５０Ａ，５０Ｂのそれぞれと、会議サーバ２０の間で、会議セッションが確立されると、会議サーバ２０では、設定処理（図５参照）が開始される（Ｔ３）。設定処理では、端末装置５０Ａ，５０Ｂに送信されるメディアデータＤに関する圧縮指示が設定される。設定処理については、後述する。端末装置５０Ａでは、メディアデータＡが送信される（Ｔ４）。会議サーバ２０では、端末装置５０Ａから送信されたメディアデータＡが受信される。これに伴い、会議サーバ２０は、メディアデータＡを取得する。端末装置５０Ｂでは、メディアデータＢが送信される（Ｔ５）。会議サーバ２０では、端末装置５０Ｂから送信されたメディアデータＢが受信される。これに伴い、会議サーバ２０は、メディアデータＢを取得する。続けて、会議サーバ２０では、変換取得処理（図６参照）が実行される（Ｔ６）。変換取得処理では、設定処理で設定された圧縮指示に対応した、合成画像データ及び合成音声データを含むメディアデータＤが取得される。変換取得処理については、後述する。その後、メディアデータＤが、会議サーバ２０から端末装置５０Ａ，５０Ｂにそれぞれ送信される（Ｔ７）。
【００５０】
遠隔会議システム１０において、端末装置５０Ａ，５０Ｂでは、メディアデータＡ，Ｂの送信が継続して行われる（Ｔ４、Ｔ５参照）。会議サーバ２０では、Ｔ３で開始された設定処理が継続されると共に、変換取得処理（Ｔ６参照）が繰り返して実行される。そして、メディアデータＤが、会議サーバ２０から端末装置５０Ａ，５０Ｂにそれぞれ送信される（Ｔ７参照）。このようにして、遠隔会議が継続される。その後、遠隔会議システム１０では、端末装置５０Ａと会議サーバ２０の間の会議セッションが終了し（Ｔ８）、端末装置５０Ｂと会議サーバ２０の間の会議セッションが終了する（Ｔ９）。これに伴い、遠隔会議システム１０での遠隔会議が終了する。
【００５１】
＜設定処理＞
会議サーバ２０で実行される設定処理について、図５等を参照して説明する。設定処理は、図４に基づき上述した通り、端末装置５０Ａ，５０Ｂとの間で会議セッションが確立されたタイミングで開始（Ｔ３参照）される。設定処理を開始したＣＰＵ２２は、圧縮指示を「高」（高圧縮）に設定する（Ｓ１００）。圧縮指示としては、「高」の他、「低」（「高」と比較し低圧縮）が定義されている。圧縮指示は、設定ファイルに登録されて管理される。設定ファイルは、例えば、記憶部２６に記憶される。続けて、ＣＰＵ２２は、遠隔会議が開始されているか否かを判断する（Ｓ１０２）。遠隔会議の開始は、端末装置５０Ａから送信されるメディアデータＡの取得の有無と、端末装置５０Ｂから送信されるメディアデータＢの取得の有無に従い、判断される。メディアデータＡ，Ｂが共に取得されている場合（図４のＴ４及びＴ５参照）、遠隔会議は開始されていると判断される。メディアデータＡ，Ｂの両方又は何れか一方が取得されていない場合、遠隔会議は開始されていないと判断される。
【００５２】
遠隔会議が開始されていない場合（Ｓ１０２：Ｎｏ）、ＣＰＵ２２は、Ｓ１０２を繰り返して実行する。遠隔会議が開始されている場合（Ｓ１０２：Ｙｅｓ）、ＣＰＵ２２は、共有指示を取得したか否かを判断する（Ｓ１０４）。会議サーバ２０では、メディアデータＡ，Ｂが取得され、遠隔会議が開始されると、図６に示す変換取得処理（図４のＴ６参照）が実行される。これに伴い、会議サーバ２０の通信部３２から端末装置５０Ａ，５０Ｂに、メディアデータＤが送信される（図４のＴ７参照）。メディアデータＤが通信部６０で受信され、これによってメディアデータＤを取得した端末装置５０Ａ，５０Ｂの各ＣＰＵ５２は、遠隔会議画面６４が表示部６２に表示されるように制御する。端末装置５０Ａ，５０Ｂの各表示部６２には、図３に示すような遠隔会議画面６４（但し、画像６５Ｃは非表示）が表示される。共有指示は、端末装置５０Ａ，５０Ｂの各表示部６２で遠隔会議画面６４が表示された状態で、端末装置５０Ａ，５０Ｂのうちの一方の端末装置５０で、ユーザが操作部７０を操作したことに伴い取得される。この点に関する説明は、上述した通りであり、省略する。共有指示は、端末装置５０Ａ，５０Ｂのうちの一方の端末装置５０の通信部６０から、会議サーバ２０に送信され、会議サーバ２０の通信部３２で受信される。ＣＰＵ２２は、通信部３２での共有指示の受信に伴い、共有指示を取得する。
【００５３】
共有指示が取得されていない場合（Ｓ１０４：Ｎｏ）、ＣＰＵ２２は、Ｓ１０４を繰り返して実行する。共有指示が取得されている場合（Ｓ１０４：Ｙｅｓ）、ＣＰＵ２２は、データ転送量Ａ，Ｂをそれぞれ取得する（Ｓ１０６）。データ転送量Ａは、端末装置５０ＡからのメディアデータＡの送信に関し、基準となる基準期間（例えば、１秒）内に会議サーバ２０で取得されるデータ量である。データ転送量Ｂは、端末装置５０ＢからのメディアデータＢの送信に関し、基準となる基準期間（例えば、１秒）内に会議サーバ２０で取得されるデータ量である。ＣＰＵ２２は、例えば、設定処理のためのコンピュータプログラムの実行に伴い、処理されたデータ量（パケット量）に基づき、データ転送量Ａ，Ｂを取得する。この他、メディアデータＡ，Ｂの通信部３２での受信に際し、オペレーションシステムに含まれる通信のためのコンピュータプログラムで処理されたデータ量（パケット量）に基づき、データ転送量Ａ，Ｂを取得するようにしてもよい。
【００５４】
続けて、ＣＰＵ２２は、データ転送量Ａが基準転送量以下であるか否かを判断し、データ転送量Ｂが基準転送量以下であるか否かを判断する（Ｓ１０８）。基準転送量は、予め定めた値であり、設定処理のためのコンピュータプログラムに登録されている。端末装置５０Ａ，５０Ｂのそれぞれと、会議サーバ２０の間の通信状態の何れか又は両方が良好ではなく、データ転送量Ａ，Ｂの少なくとも一方が基準転送量以下となる場合（Ｓ１０８：Ｙｅｓ）、ＣＰＵ２２は、圧縮指示を「高」に設定する（Ｓ１１０）。例えば、データ転送量Ｂが基準転送量以下である場合、データ転送量Ａの結果に関わらず、ＣＰＵ２２は、圧縮指示を「高」に設定する。設定ファイルに登録された圧縮指示が「高」であった場合、Ｓ１１０でＣＰＵ２２は、圧縮指示として「高」を再設定する。設定ファイルに登録された圧縮指示が「低」であった場合、Ｓ１１０でＣＰＵ２２は、圧縮指示を「高」に更新する。
【００５５】
端末装置５０Ａ，５０Ｂのそれぞれと、会議サーバ２０の間の通信状態が何れも良好で、データ転送量Ａ，Ｂが共に基準転送量より高くなる場合（Ｓ１０８：Ｎｏ）、ＣＰＵ２２は、圧縮指示を「低」に設定する（Ｓ１１２）。設定ファイルに登録された圧縮指示が「高」であった場合、Ｓ１１２でＣＰＵ２２は、圧縮指示を「低」に更新する。設定ファイルに登録された圧縮指示が「低」であった場合、Ｓ１１２でＣＰＵ２２は、圧縮指示として「低」を再設定する。
【００５６】
Ｓ１１０又はＳ１１２を実行した後、ＣＰＵ２２は、処理をＳ１０６に戻し、Ｓ１０６〜Ｓ１１２の各処理を、会議セッションが終了するまで繰り返して実行する。会議セッションが終了となる場合、ＣＰＵ２２は、設定処理を終了する。
【００５７】
＜変換取得処理＞
会議サーバ２０で実行される変換取得処理について、図６等を参照して説明する。変換取得処理は、図４に基づき上述した通り、端末装置５０Ａ，５０Ｂとの間で会議セッションが確立され、メディアデータＡ，Ｂが取得されたタイミングで開始（図４のＴ６参照）され、会議セッションが終了するまで、繰り返して再開される。変換取得処理を開始したＣＰＵ２２は、設定ファイルを読み込む（Ｓ２００）。記憶部２６から読み込まれた設定ファイルは、ＲＡＭ２８に記憶される。ＣＰＵ２２は、設定ファイルに登録された圧縮指示が「高」であるか否かを判断する（Ｓ２０２）。圧縮指示は、上述した通り、図５のＳ１００、Ｓ１１０又はＳ１１２で設定ファイルに登録される。
【００５８】
圧縮指示が「高」である場合（Ｓ２０２：Ｙｅｓ）、ＣＰＵ２２は、第２圧縮率の合成画像データ及び合成音声データを取得する（Ｓ２０４）。Ｓ２０４でＣＰＵ２２は、通信部３２で受信され、これに伴い取得されるメディアデータＡから、第１圧縮率の画像データＡ及び音声データＡを取得し、これらをデコードする。また、ＣＰＵ２２は、通信部３２で受信され、これに伴い取得されるメディアデータＢから、第１圧縮率の画像データＢ及び音声データＢを取得し、これらをデコードする。そして、ＣＰＵ２２は、デコードされた画像データＡ，Ｂを合成し、音声データＡ，Ｂを合成する。その後、ＣＰＵ２２は、合成された画像データＡ，Ｂを第２圧縮率の画像データにエンコードし、第２圧縮率の合成画像データを生成する。また、ＣＰＵ２２は、合成された音声データＡ，Ｂを第２圧縮率の音声データにエンコードし、第２圧縮率の合成音声データを生成する。
【００５９】
第１圧縮率と第２圧縮率の関係に関し、第２圧縮率は、第１圧縮率より高圧縮率である。従って、第２圧縮率の合成画像データに含まれる画像データＡ，Ｂは、第１圧縮率の画像データＡ，Ｂより低ビットレートの画像データである。第２圧縮率の合成音声データに含まれる音声データＡ，Ｂは、第１圧縮率の音声データＡ，Ｂより低ビットレートの音声データである。
【００６０】
圧縮指示が「高」ではなく、「低」である場合（Ｓ２０２：Ｎｏ）、ＣＰＵ２２は、第１圧縮率の合成画像データ及び合成音声データを取得する（Ｓ２０６）。Ｓ２０６でＣＰＵ２２は、通信部３２で受信され、これに伴い取得されるメディアデータＡから、第１圧縮率の画像データＡ及び音声データＡを取得し、これらをデコードする。また、ＣＰＵ２２は、通信部３２で受信され、これに伴い取得されるメディアデータＢから、第１圧縮率の画像データＢ及び音声データＢを取得し、これらをデコードする。そして、ＣＰＵ２２は、デコードされた画像データＡ，Ｂを合成し、音声データＡ，Ｂを合成する。その後、ＣＰＵ２２は、合成された画像データＡ，Ｂを第１圧縮率の画像データにエンコードし、第１圧縮率の合成画像データを生成する。また、ＣＰＵ２２は、合成された音声データＡ，Ｂを第１圧縮率の音声データにエンコードし、第１圧縮率の合成音声データを生成する。
【００６１】
Ｓ２０４及びＳ２０６でそれぞれ実行されるデコード、合成及びエンコードの各画像処理は、画像処理プロセスによって行われる。画像処理プロセスは、これら画像処理のためのコンピュータプログラムによって構成される。画像処理のためのコンピュータプログラムは、オペレーションシステム上で動作する画像処理のためのコンピュータプログラム、又は、変換取得処理のためのコンピュータプログラムに含まれるプログラムモジュールとして、記憶部２６に記憶されている。Ｓ２０４及びＳ２０６の各処理でＣＰＵ２２は、画像処理プロセスを起動する。ＣＰＵ２２は、変換取得処理のためのコンピュータプログラムによるプロセスから画像処理プロセスに対して、前述した画像処理を指示する。これによって、ＣＰＵ２２は、起動した画像処理プロセスにおいて、前述した各画像処理を実行する。ＣＰＵ２２は、画像処理プロセスによって生成された第２圧縮率の合成画像データ及び合成音声データ（Ｓ２０４参照）、又は、第１圧縮率の合成画像データ及び合成音声データ（Ｓ２０６参照）を取得する。なお、前述したような画像処理を実行するための専用のハードウェア要素を、会議サーバ２０が備え、ＣＰＵ２２からの指示に従い、ハードウェア要素が、前述したような各画像処理を実行するようにしてもよい。
【００６２】
Ｓ２０４又はＳ２０６を実行した後、ＣＰＵ２２は、Ｓ２０４で取得された第２圧縮率の合成画像データ及び合成音声データを含むメディアデータＤ、又は、Ｓ２０６で取得された第１圧縮率の合成画像データ及び合成音声データを含むメディアデータＤを生成し、これを取得する（Ｓ２０８）。その後、ＣＰＵ２２は、変換取得処理を終了する。但し、会議セッションが確立されている間は、端末装置５０ＡからのメディアデータＡの送信（図４のＴ４参照）と、端末装置５０ＢからのメディアデータＢの送信（図４のＴ５参照）は継続され、通信部３２でメディアデータＡ，Ｂが順次受信される。そのため、ＣＰＵ２２は、メディアデータＡ，Ｂの取得に応じて、変換取得処理を再開する。
【００６３】
変換取得処理で取得されたメディアデータＤは、通信部３２から端末装置５０Ａ，５０Ｂに送信（図４のＴ７参照）される。即ち、ＣＰＵ２２は、上述した設定処理（図５参照）及び変換取得処理を実行しつつ、メディアデータＤが、通信部３２から端末装置５０Ａ，５０Ｂにそれぞれ送信されるように制御する。
【００６４】
＜第２実施例＞
遠隔会議システム１０で行われる遠隔会議に関する第２実施例の処理について、図７等を参照して説明する。第２実施例において、第１圧縮率と第２圧縮率の関係は、第１実施例の場合と同様である。
【００６５】
遠隔会議システム１０では、端末装置５０Ａと会議サーバ２０の間の会議セッションが確立され（Ｕ１）、端末装置５０Ｂと会議サーバ２０の間の会議セッションが確立される（Ｕ２）。会議セッションは、例えば、第１実施例の場合と同様、遠隔会議のためのＵＲＬを含む電子メールを、遠隔会議の開催予定日時に先立ち送信し、このＵＲＬに基づき、端末装置５０Ａ，５０Ｂが会議サーバ２０にそれぞれアクセスする等して確立される。図７におけるＵ１及びＵ２は、図４のＴ１及びＴ２に対応する。従って、これらに関するこの他の説明は、省略する。
【００６６】
端末装置５０Ａ，５０Ｂのそれぞれと、会議サーバ２０の間で、会議セッションが確立されると、会議サーバ２０では、指示送信処理（図８参照）が開始される（Ｕ３）。指示送信処理では、圧縮指示が、会議サーバ２０から端末装置５０Ａ，５０Ｂにそれぞれ送信される（Ｕ４）。圧縮指示は、端末装置５０Ａ，５０Ｂのそれぞれから、会議サーバ２０に送信されるメディアデータＡ，Ｂに関する圧縮率を指定する指示である。会議サーバ２０から送信された圧縮指示を受信した端末装置５０Ａでは、取得送信処理（図９参照）が実行される（Ｕ６）。そして、この取得送信処理にて取得された圧縮指示に従った圧縮率のメディアデータＡが、端末装置５０Ａから会議サーバ２０に送信される（Ｕ７）。会議サーバ２０から送信された圧縮指示を受信した端末装置５０Ｂでは、取得送信処理（図９参照）が実行される（Ｕ８）。そして、この取得送信処理にて取得された圧縮指示に従った圧縮率のメディアデータＢが、端末装置５０Ｂから会議サーバ２０に送信される（Ｕ９）。指示送信処理及び取得送信処理については、後述する。
【００６７】
会議サーバ２０では、端末装置５０Ａから送信されたメディアデータＡが受信される。これに伴い、会議サーバ２０は、メディアデータＡを取得する。会議サーバ２０では、端末装置５０Ｂから送信されたメディアデータＢが受信される。これに伴い、会議サーバ２０は、メディアデータＢを取得する。続けて、会議サーバ２０では、合成処理が実行される（Ｕ１０）。合成処理では、合成画像データ及び合成音声データが生成され、これらを含むメディアデータＤが取得される。合成処理については、後述する。その後、メディアデータＤが、会議サーバ２０から端末装置５０Ａ，５０Ｂにそれぞれ送信される（Ｕ１１）。
【００６８】
遠隔会議システム１０において、端末装置５０Ａ，５０Ｂでは、取得送信処理（Ｕ６及びＵ８参照）が繰り返して実行される。会議サーバ２０では、Ｕ３で開始された指示送信処理が継続されると共に、合成処理（Ｕ１０参照）が繰り返して実行される。そして、メディアデータＤが、会議サーバ２０から端末装置５０Ａ，５０Ｂにそれぞれ送信される（Ｕ１１参照）。このようにして、遠隔会議が継続される。その後、遠隔会議システム１０では、端末装置５０Ａと会議サーバ２０の間の会議セッションが終了し（Ｕ１２）、端末装置５０Ｂと会議サーバ２０の間の会議セッションが終了する（Ｕ１３）。これに伴い、遠隔会議システム１０での遠隔会議が終了する。
【００６９】
＜指示送信処理＞
会議サーバ２０で実行される指示送信処理について、図８等を参照して説明する。指示送信処理は、図７に基づき上述した通り、端末装置５０Ａ，５０Ｂとの間で会議セッションが確立されたタイミングで開始（図７のＵ３参照）される。指示送信処理を開始したＣＰＵ２２は、圧縮指示「高」が、通信部３２から端末装置５０Ａ，５０Ｂにそれぞれ送信されるように制御する（Ｓ３００）。圧縮指示「高」は、通信部３２から端末装置５０Ａ，５０Ｂにそれぞれ送信される。
【００７０】
Ｓ３００を実行したＣＰＵ２２は、その後、Ｓ３０２〜Ｓ３０８を順次実行する。Ｓ３０２〜Ｓ３０８の各処理は、上述した設定処理（図５参照）のＳ１０２〜Ｓ１０８のそれぞれに対応し、上記同様に実行される。従って、Ｓ３０２〜Ｓ３０８に関する説明は、省略する。
【００７１】
端末装置５０Ａ，５０Ｂのそれぞれと、会議サーバ２０の間の通信状態の何れか又は両方が良好ではなく、データ転送量Ａ，Ｂの少なくとも一方が基準転送量以下となる場合（Ｓ３０８：Ｙｅｓ）、ＣＰＵ２２は、圧縮指示を「高」に設定する（Ｓ３１０）。例えば、データ転送量Ｂが基準転送量以下である場合、データ転送量Ａの結果に関わらず、ＣＰＵ２２は、圧縮指示を「高」に設定する。そして、ＣＰＵ２２は、圧縮指示「高」が、通信部３２から端末装置５０Ａ，５０Ｂにそれぞれ送信されるように制御する（Ｓ３１２）。圧縮指示「高」は、通信部３２から端末装置５０Ａ，５０Ｂにそれぞれ送信される。端末装置５０Ａ，５０Ｂのそれぞれと、会議サーバ２０の間の通信状態が何れも良好で、データ転送量Ａ，Ｂが共に基準転送量より高くなる場合（Ｓ３０８：Ｎｏ）、ＣＰＵ２２は、圧縮指示を「低」に設定する（Ｓ３１４）。そして、ＣＰＵ２２は、圧縮指示「低」が、通信部３２から端末装置５０Ａ，５０Ｂにそれぞれ送信されるように制御する（Ｓ３１６）。圧縮指示「低」は、通信部３２から端末装置５０Ａ，５０Ｂにそれぞれ送信される。Ｓ３１２又はＳ３１６は、図７のＵ４に対応する。
【００７２】
Ｓ３１２又はＳ３１６を実行した後、ＣＰＵ２２は、処理をＳ３０６に戻し、Ｓ３０６〜Ｓ３１６の各処理を、会議セッションが終了するまで繰り返して実行する。会議セッションが終了となる場合、ＣＰＵ２２は、指示送信処理を終了する。
【００７３】
＜取得送信処理＞
端末装置５０Ａ，５０Ｂでそれぞれ実行される取得送信処理について、図９等を参照して説明する。取得送信処理は、図７に基づき上述した通り、指示送信処理（図８参照）のＳ３００で会議サーバ２０から送信された圧縮指示（図７のＵ４参照）が、端末装置５０Ａ，５０Ｂの各通信部６０で受信され、ＣＰＵ５２がこれを取得したタイミングで開始（図７のＵ６及びＵ９参照）される。取得送信処理は、会議セッションが終了するまで繰り返し実行される。端末装置５０では、圧縮指示（図８のＳ３００、Ｓ３１２又はＳ３１６で送信）は、設定ファイルに登録されて管理される。ＣＰＵ５２は、指示送信処理（図８参照）で会議サーバ２０から送信される圧縮指示「高」（図８のＳ３００及びＳ３１２参照）又は「低」（図８のＳ３１４参照）が通信部６０で受信され、取得される毎に、設定ファイルに登録された圧縮指示を、新たに取得された圧縮指示「高」又は「低」に更新（Ｓ３００の場合は、新規登録）する。設定ファイルは、例えば、記憶部５６に記憶される。
【００７４】
取得送信処理を開始したＣＰＵ５２は、記憶部５６に記憶された設定ファイルを読み込み、設定ファイルに登録された圧縮指示を取得する（Ｓ４００）。ＣＰＵ５２は、取得した圧縮指示が「高」であるか否かを判断する（Ｓ４０２）。圧縮指示が「高」である場合（Ｓ４０２：Ｙｅｓ）、ＣＰＵ５２は、第２圧縮率の画像データ及び音声データを取得する（Ｓ４０４）。Ｓ４０４でＣＰＵ５２は、カメラ７２での撮影に伴い生成された画像データと、マイク７４での集音に伴い生成された音声データを取得する。ＣＰＵ５２は、取得された画像データを第２圧縮率の画像データにエンコードする。また、ＣＰＵ５２は、取得された音声データを第２圧縮率の音声データにエンコードする。
【００７５】
圧縮指示が「高」ではなく、「低」である場合（Ｓ４０２：Ｎｏ）、ＣＰＵ５２は、第１圧縮率の画像データ及び音声データを取得する（Ｓ４０６）。Ｓ４０６でＣＰＵ５２は、カメラ７２での撮影に伴い生成された画像データと、マイク７４での集音に伴い生成された音声データを取得する。ＣＰＵ５２は、取得された画像データを第１圧縮率の画像データにエンコードする。また、ＣＰＵ５２は、取得された音声データを第１圧縮率の音声データにエンコードする。
【００７６】
取得送信処理が端末装置５０Ａで実行されている場合、Ｓ４０４で取得される第２圧縮率の画像データ及び音声データは、第２圧縮率の画像データＡ及び音声データＡであり、Ｓ４０６で取得される第１圧縮率の画像データ及び音声データは、第１圧縮率の画像データＡ及び音声データＡである。取得送信処理が端末装置５０Ｂで実行されている場合、Ｓ４０４で取得される第２圧縮率の画像データ及び音声データは、第２圧縮率の画像データＢ及び音声データＢであり、Ｓ４０６で取得される第１圧縮率の画像データ及び音声データは、第１圧縮率の画像データＢ及び音声データＢである。
【００７７】
Ｓ４０４及びＳ４０６でそれぞれ実行されるエンコードは、エンコードのためのプロセス（エンコードプロセス）によって行われる。エンコードプロセスは、エンコードのためのコンピュータプログラムによって構成される。エンコードのためのコンピュータプログラムは、オペレーションシステム上で動作するエンコードのためのコンピュータプログラム、又は、取得送信処理のためのコンピュータプログラムに含まれるプログラムモジュールとして、記憶部５６に記憶されている。Ｓ４０４及びＳ４０６の各処理でＣＰＵ５２は、エンコードプロセスを起動する。ＣＰＵ５２は、取得送信処理のためのコンピュータプログラムによるプロセスからエンコードプロセスに対して、取得された画像データ及び音声データのエンコードを指示する。これによって、ＣＰＵ５２は、起動したエンコードプロセスにおいて、エンコードを実行する。ＣＰＵ５２は、エンコードプロセスによって生成された第２圧縮率の画像データ及び音声データ（Ｓ４０４参照）、又は、第１圧縮率の画像データ及び音声データ（Ｓ４０６参照）を取得する。なお、エンコードを実行するための専用のハードウェア要素を、端末装置５０が備え、ＣＰＵ５２からの指示に従い、ハードウェア要素が、エンコードを実行するようにしてもよい。
【００７８】
Ｓ４０４又はＳ４０６を実行した後、ＣＰＵ５２は、Ｓ４０４で取得された第２圧縮率の画像データ及び音声データを含むメディアデータ、又は、Ｓ４０６で取得された第１圧縮率の画像データ及び音声データを含むメディアデータを生成し、これを取得する（Ｓ４０８）。取得送信処理が端末装置５０Ａで実行されている場合、Ｓ４０８で取得されるメディアデータは、第２圧縮率（Ｓ４０４参照）又は第１圧縮率（Ｓ４０６参照）の画像データＡ及び音声データＡを含むメディアデータＡである。取得送信処理が端末装置５０Ｂで実行されている場合、Ｓ４０８で取得されるメディアデータは、第２圧縮率（Ｓ４０４参照）又は第１圧縮率（Ｓ４０６参照）の画像データＢ及び音声データＢを含むメディアデータＢである。
【００７９】
続けて、ＣＰＵ５２は、Ｓ４０８で取得したメディアデータが、通信部６０から会議サーバ２０に送信されるように制御する（Ｓ４１０）。メディアデータは、通信部６０から会議サーバ２０に送信される。Ｓ４１０は、図７のＵ７及びＵ９に対応する。その後、ＣＰＵ５２は、取得送信処理を終了する。但し、会議セッションが確立されている間は、上述した通り、端末装置５０Ａから会議サーバ２０へのメディアデータＡの送信（図７のＵ７参照）と、端末装置５０Ｂから会議サーバ２０へのメディアデータＢの送信（図７のＵ９参照）は継続される。そのため、ＣＰＵ５２は、終了後直ちに、取得送信処理を再開する。
【００８０】
＜合成処理＞
会議サーバ２０で実行される合成処理について、図１０等を参照して説明する。合成処理は、図７に基づき上述した通り、端末装置５０Ａから送信されたメディアデータＡ（図７のＵ７参照）と、端末装置５０Ｂから送信されたメディアデータＢ（図７のＵ９参照）が取得されたタイミングで開始（図７のＵ１０参照）され、会議セッションが終了するまで繰り返して再開される。
【００８１】
合成処理を開始したＣＰＵ２２は、第２圧縮率又は第１圧縮率の合成画像データ及び合成音声データを取得する（Ｓ５００）。具体的に、Ｓ５００でＣＰＵ２２は、メディアデータＡから、第１圧縮率又は第２圧縮率の画像データＡ及び音声データＡを取得し、これらをデコードする。また、ＣＰＵ２２は、メディアデータＢから、第１圧縮率又は第２圧縮率の画像データＢ及び音声データＢを取得し、これらをデコードする。そして、ＣＰＵ２２は、デコードされた画像データＡ，Ｂを合成し、音声データＡ，Ｂを合成する。その後、ＣＰＵ２２は、合成された画像データＡ，Ｂを、合成前の元の圧縮率の画像データにエンコードし、合成前の元の圧縮率の合成画像データを生成する。また、ＣＰＵ２２は、合成された音声データＡ，Ｂを、合成前の元の圧縮率の音声データにエンコードし、合成前の元の圧縮率の合成音声データを生成する。
【００８２】
端末装置５０ＡからのメディアデータＡと、端末装置５０ＢからのメディアデータＢは、取得送信処理（図９）に関連して上述した通り、設定ファイルに登録された圧縮指示に従い、生成される。設定ファイルでの圧縮指示は、端末装置５０Ａ，５０Ｂの各通信部６０で圧縮指示が受信される毎に更新等される。従って、上述した「合成前の元の圧縮率」は、計時部３０で計測されている現在時刻を基準とて、図８のＳ３００、Ｓ３１２又はＳ３１６のうち、最後に実行された処理に対応した圧縮率となる。具体的に、最後に実行された圧縮指示の送信が、Ｓ３００又はＳ３１２である場合、「合成前の元の圧縮率」は、第２圧縮率である。最後に実行された圧縮指示の送信が、Ｓ３１６である場合、「合成前の元の圧縮率」は、第１圧縮率である。
【００８３】
デコード、合成及びエンコードは、図６のＳ２０４及びＳ２０６に関連して説明した場合と同様、これら画像処理のためのプロセス又はハードウェア要素を介して行われる。従って、これに関する説明は、省略する。
【００８４】
続けて、ＣＰＵ２２は、Ｓ５００で取得された第１圧縮率又は第２圧縮率の合成画像データ及び合成音声データを含むメディアデータＤを生成し、これを取得する（Ｓ５０２）。その後、ＣＰＵ２２は、合成処理を終了する。但し、会議セッションが確立されている間は、端末装置５０ＡからのメディアデータＡの送信（図７のＵ７参照）と、端末装置５０ＢからのメディアデータＢの送信（図７のＵ９参照）は継続され、通信部３２でメディアデータＡ，Ｂが順次受信され、取得される。そのため、ＣＰＵ２２は、メディアデータＡ，Ｂの取得に応じ、合成処理を繰り返して実行する。
【００８５】
合成処理で取得されたメディアデータＤは、通信部３２から端末装置５０Ａ，５０Ｂに送信（図７のＵ１１参照）される。即ち、ＣＰＵ２２は、上述した指示送信処理（図８参照）及び合成処理を実行しつつ、メディアデータＤが、通信部３２から端末装置５０Ａ，５０Ｂにそれぞれ送信されるように制御する。
【００８６】
＜実施形態の効果＞
上述した実施形態によれば、次のような効果を得ることができる。
【００８７】
（１）遠隔会議システム１０で行われる遠隔会議に関する第１実施例の処理において、設定処理（図５参照）では、遠隔会議のセッションが確立されたタイミングにおいて、圧縮指示を「高」に設定する（図５のＳ１００参照）こととした。そして、会議サーバ２０では、端末装置５０Ａ，５０Ｂとの間で会議セッションが確立され、メディアデータＡ，Ｂが取得されると、変換取得処理（図６参照）が実行され、Ｓ１００で設定された圧縮指示「高」に従った、第２圧縮率の合成画像データ及び合成音声データが取得され（図６のＳ２０４参照）、これらを含むメディアデータＤが取得される（図６のＳ２０８参照）。このメディアデータＤは、通信部３２から端末装置５０Ａ，５０Ｂに送信される（図４のＴ７参照）。そのため、会議セッションが確立されたタイミングで、会議サーバ２０から端末装置５０Ａ，５０Ｂのそれぞれに送信されるメディアデータＤのデータ量を抑制することができる。ネットワーク８０の輻輳を改善することが可能となる。
【００８８】
設定処理では、共有指示が取得された場合（図５のＳ１０４：Ｙｅｓ参照）、データ転送量Ａ，Ｂを取得し（図５のＳ１０６参照）、データ転送量Ａ，Ｂと、基準転送量を比較する（図５のＳ１０８参照）こととした。比較の結果、データ転送量Ａ，Ｂの少なくとも一方が基準転送量以下である場合（図６のＳ１０８：Ｙｅｓ参照）、圧縮指示は、「高」に再設定される（図５のＳ１１０参照）。データ転送量Ａ，Ｂが共に、基準転送量より高くなる場合（図６のＳ１０８：Ｎｏ参照）、圧縮指示は、「低」に設定される（図５のＳ１１２参照）。Ｓ１１２で圧縮指示が「低」に設定されると、圧縮指示「低」に従った、第１圧縮率の合成画像データ及び合成音声データが取得され（図６のＳ２０６参照）、これらを含むメディアデータＤが取得される（図６のＳ２０８参照）。このメディアデータＤは、通信部３２から端末装置５０Ａ，５０Ｂに送信される（図４のＴ７参照）。
【００８９】
そのため、共有指示が取得され、資料データが端末装置５０Ａ，５０Ｂで共有される状態となったタイミングにおいても、データ転送量Ａ，Ｂの少なくとも一方が基準転送量以下である場合には、メディアデータＤのデータ量を、継続して抑制することができる。前述したタイミングにおいて、データ転送量Ａ，Ｂが共に基準転送量より高い場合には、データ量を増加させた低圧縮（第１圧縮率）の合成画像データ及び合成音声データを含むメディアデータＤを、端末装置５０Ａ，５０Ｂのそれぞれに送信することができる。端末装置５０Ａ，５０Ｂでは、好適な画質の画像６５Ａ，６５Ｂと、資料データに対応した画像６５Ｃを含む遠隔会議画面６４を、表示部６２に表示させ、好適な音質の音声をスピーカ６８から出力することができる。
【００９０】
共有指示が取得され、資料データを共有しようとするような状態は、端末装置５０Ａ，５０Ｂによる遠隔会議が開始された後、具体的な議論が開始される状態であると判断することができる。そのため、遠隔会議での具体的な議論の開始に合わせ、メディアデータＤの品質を向上させることができる。
【００９１】
（２）遠隔会議システム１０で行われる遠隔会議に関する第２実施例の処理において、指示送信処理（図８参照）では、会議セッションが確立されたタイミングにおいて、圧縮指示「高」を、端末装置５０Ａ，５０Ｂに送信する（図８のＳ３００参照）こととした。圧縮指示「高」を取得した端末装置５０で実行される取得送信処理（図９参照）では、圧縮指示「高」に従った、第２圧縮率の画像データ及び音声データが取得され、これらを含むメディアデータが取得され（図９のＳ４０８参照）、これが会議サーバ２０に送信される（図９のＳ４１０参照）。そのため、会議セッションが確立されたタイミングで、端末装置５０Ａから会議サーバ２０に送信されるメディアデータＡと、端末装置５０Ｂから会議サーバ２０に送信されるメディアデータＢの各データ量を抑制することができる。また、会議サーバ２０から端末装置５０Ａ，５０Ｂのそれぞれに送信されるメディアデータＤのデータ量を抑制することができる。従って、ネットワーク８０の輻輳を改善することが可能となる。
【００９２】
＜変形例＞
上述した実施形態は、次のようにすることもできる。
【００９３】
（１）設定処理（図５参照）では、圧縮指示を「高」又は「低」に設定する（図５のＳ１００、Ｓ１１０又はＳ１１２参照）こととした。変換取得処理（図６参照）では、設定ファイルに登録された圧縮指示「高」又は「低」に従った圧縮率の合成画像データ及び合成音声データを取得し（図６のＳ２０４又はＳ２０６参照）、これらを含むメディアデータＤを取得する（図６のＳ２０８参照）こととした。そして、会議サーバ２０から端末装置５０Ａ，５０Ｂへは、このようにして取得された同一のメディアデータＤを送信する（図４のＴ７参照）こととした。
【００９４】
メディアデータＤに含まれる合成画像データ及び合成音声データの圧縮率は、端末装置５０Ａ，５０Ｂ毎に異なるようにしてもよい。端末装置５０Ａと会議サーバ２０の間でセッションが確立された場合（図４のＴ１参照）、ＣＰＵ２２は、端末装置５０Ａのための設定処理を実行し、端末装置５０Ａのための設定ファイルに登録された圧縮指示「高」又は「低」に従い、変換取得処理を実行する。端末装置５０Ａのための設定処理のＳ１０６では、データ転送量Ａのみが取得され、Ｓ１０８は、データ転送量Ａと基準転送量を比較して行われる。ＣＰＵ２２は、端末装置５０Ａのための変換取得処理で取得されたメディアデータＤが、通信部３２から端末装置５０Ａに送信されるように制御する。メディアデータＤは，通信部３２から端末装置５０Ａに送信される（図４のＴ７参照）。
【００９５】
端末装置５０Ｂと会議サーバ２０の間でセッションが確立された場合（図４のＴ２参照）、ＣＰＵ２２は、端末装置５０Ｂのための設定処理を実行し、端末装置５０Ｂのための設定ファイルに登録された圧縮指示「高」又は「低」に従い、変換取得処理を実行する。端末装置５０Ｂのための設定処理のＳ１０６では、データ転送量Ｂのみが取得され、Ｓ１０８は、データ転送量Ｂと基準転送量を比較して行われる。ＣＰＵ２２は、端末装置５０Ｂのための変換取得処理で取得されたメディアデータＤが、通信部３２から端末装置５０Ｂに送信されるように制御する。メディアデータＤは，通信部３２から端末装置５０Ｂに送信される（図４のＴ７参照）。
【００９６】
（２）指示送信処理（図８参照）では、圧縮指示「高」又は「低」を端末装置５０Ａ，５０Ｂに送信する（図５のＳ３００、Ｓ３１２又はＳ３１６参照）こととした。端末装置５０Ａ，５０Ｂでそれぞれ実行される変換取得処理（図９参照）では、圧縮指示「高」又は「低」に従った圧縮率の画像データ及び音声データを取得し（図６のＳ４０４又はＳ４０６参照）、これらを含むメディアデータを会議サーバ２０に送信する（図６のＳ４１０参照）こととした。
【００９７】
端末装置５０Ａと端末装置５０Ｂへは、装置毎に特有の値（「高」又は「低」の何れか）が設定された圧縮指示がそれぞれ送信されるようにしてもよい。端末装置５０Ａと会議サーバ２０の間でセッションが確立された場合（図７のＵ１参照）、ＣＰＵ２２は、端末装置５０Ａのための指示送信処理を実行する。ＣＰＵ２２は、端末装置５０Ａのための指示送信処理で、各値を設定した圧縮指示が、端末装置５０Ａに送信されるように制御する（図８のＳ３００、Ｓ３１２又はＳ３１６参照）。端末装置５０Ａのための指示送信処理のＳ３０６では、データ転送量Ａのみが取得され、Ｓ３０８は、データ転送量Ａと基準転送量を比較して行われる。
【００９８】
端末装置５０Ｂと会議サーバ２０の間でセッションが確立された場合（図７のＵ２参照）、ＣＰＵ２２は、端末装置５０Ｂのための指示送信処理を実行する。ＣＰＵ２２は、端末装置５０Ｂのための指示送信処理で、各値を設定した圧縮指示が、端末装置５０Ｂに送信されるように制御する（図８のＳ３００、Ｓ３１２又はＳ３１６参照）。端末装置５０Ｂのための指示送信処理のＳ３０６では、データ転送量Ｂのみが取得され、Ｓ３０８は、データ転送量Ｂと基準転送量を比較して行われる。
【００９９】
合成処理（図１０）では、メディアデータＡに含まれる画像データＡ及び音声データＡの圧縮率と、メディアデータＢに含まれる画像データＢ及び音声データＢの圧縮率が同一である場合、その圧縮率の合成画像データ及び合成音声データが取得され（図１０のＳ５００参照）、これらを含むメディアデータＤが取得される（図１０のＳ５０２参照）。メディアデータＡに含まれる画像データＡ及び音声データＡの圧縮率と、メディアデータＢに含まれる画像データＢ及び音声データＢの圧縮率が異なる場合、高圧縮率（第２圧縮率）の合成画像データ及び合成音声データが取得され（図１０のＳ５００参照）、これらを含むメディアデータＤが取得される（図１０のＳ５０２参照）。圧縮率の変換は、例えば、図６のＳ２０４に関連したようにして実行される。ＣＰＵ２２は、メディアデータＤが、通信部３２から端末装置５０Ａ，５０Ｂにそれぞれ送信されるように制御する。メディアデータＤは、通信部３２から端末装置５０Ａ，５０Ｂに送信される（図７のＵ１１参照）。
【０１００】
（３）圧縮指示の設定として「高」及び「低」（高：第２圧縮率に対応  低：第１圧縮率に対応  圧縮率：第２圧縮率＞第１圧縮率）を例に説明した。圧縮指示の設定は、３段階以上に細分化するようにしてもよい。例えば、「高」、「中」及び「低」としてもよい。この場合、設定処理（図５参照）のＳ１０８又は指示送信処理（図８参照）のＳ３０８では、データ転送量Ａ，Ｂと、第１基準転送量が比較され、データ転送量Ａ，Ｂの少なくとも一方が第１基準転送量以下であり、「データ転送量Ａ，Ｂ≦第１基準転送量」が肯定される場合（図５のＳ１０８：Ｙｅｓ、図８のＳ３０８：Ｙｅｓ参照）、図５のＳ１１０又は図８のＳ３１０で、圧縮指示が「高」に設定される。
【０１０１】
データ転送量Ａ，Ｂが共に第１基準転送量より高くなり、「データ転送量Ａ，Ｂ≦第１基準転送量」が否定される場合（図５のＳ１０８：Ｎｏ、図８のＳ３０８：Ｎｏ参照）、データ転送量Ａ，Ｂと、第２基準転送量（第２基準転送量＞第１基準転送量）が比較され、データ転送量Ａ，Ｂの少なくとも一方が第２基準転送量以下であり、「データ転送量Ａ，Ｂ≦第２基準転送量」が肯定される場合、Ｓ１１０又はＳ３１０で、圧縮指示が「中」に設定される。データ転送量Ａ，Ｂが共に第２基準転送量より高くなり、「データ転送量Ａ，Ｂ≦第２基準転送量」が否定される場合、圧縮指示が「低」に設定される（図５のＳ１１２、図８のＳ３１４参照）。
【０１０２】
変換取得処理（図６参照）では、Ｓ２０２が否定される場合（図６のＳ２０２：Ｎｏ参照）、圧縮指示は「中」であるか否かが判断される。圧縮指示が「低」である場合、Ｓ２０６が実行され、圧縮指示が「中」である場合、第３圧縮率（圧縮率：第２圧縮率＞第３圧縮率＞第１圧縮率）の合成画像データ及び合成音声データが、上記同様にして生成され、取得される。
【０１０３】
取得送信処理（図９参照）では、Ｓ４０２が否定される場合（図６のＳ４０２：Ｎｏ参照）、圧縮指示は「中」であるか否かが判断される。圧縮指示が「低」である場合、Ｓ４０６が実行され、圧縮指示が「中」である場合、第３圧縮率（圧縮率：第２圧縮率＞第３圧縮率＞第１圧縮率）の画像データ及び音声データが、上記同様にして生成され、取得される。
【０１０４】
（４）端末装置５０Ａで取得された画像データＡ及び音声データＡを含むメディアデータＡを、端末装置５０Ａから会議サーバ２０に送信し、端末装置５０Ｂで取得された画像データＢ及び音声データＢを含むメディアデータＢを、端末装置５０Ｂから会議サーバ２０に送信する（図４のＴ４及びＴ５、図７のＵ７及びＵ９参照）こととした。会議サーバ２０は、画像データＡ，Ｂを含む合成画像データと、音声データＡ，Ｂを含む合成音声データを含むメディアデータＤを、端末装置５０Ａ，５０Ｂに送信する（図４のＴ７、図７のＵ１１参照）こととした。
【０１０５】
会議サーバ２０から送信されるメディアデータＤは、宛先となる端末装置５０の画像データ及び音声データを含まないデータとしてもよい。例えば、端末装置５０Ａに送信されるメディアデータＤは、画像データＢ及び音声データＢを含むデータとしてもよい。変換取得処理（図６参照）のＳ２０４又はＳ２０６での、画像データＡ，Ｂの合成と、音声データＡ，Ｂの合成は、省略される。合成処理（図１０）は省略される。端末装置５０ＡからのメディアデータＡは、そのまま、端末装置５０ＢへのメディアデータＤとされる。端末装置５０ＢからのメディアデータＢは、そのまま、端末装置５０ＡへのメディアデータＤとされる。
【０１０６】
端末装置５０Ａでは、自装置で取得された画像データＡと、メディアデータＤに含まれる画像データＢに基づき、遠隔会議画面６４が表示部６２に表示され、自装置で取得された音声データＡと、メディアデータＤに含まれる音声データＢに基づき、音声がスピーカ６８から出力される。端末装置５０Ｂでは、自装置で取得された画像データＢと、メディアデータＤに含まれる画像データＡに基づき、遠隔会議画面６４が表示部６２に表示され、自装置で取得された音声データＢと、メディアデータＤに含まれる音声データＡに基づき、音声がスピーカ６８から出力される。
【０１０７】
（５）合成画像データと合成音声データを含むメディアデータＤを例に説明した。メディアデータＤは、上述した通り、未合成の画像データＡ，Ｂと、未合成の音声データＡ，Ｂを含むデータであってもよい。このようなメディアデータＤによれば、変換取得処理（図６参照）のＳ２０６は省略される。従って、デコード、合成及びエンコードといった画像処理は実行されない。Ｓ２０２が否定された場合（図６のＳ２０２：Ｎｏ参照）、ＣＰＵ２２は、処理をＳ２０８に移行し、前述したような未合成のメディアデータＤを取得する。Ｓ２０２が肯定された場合（図６のＳ２０２：Ｙｅｓ参照）、Ｓ２０４でＣＰＵ２２は、第１圧縮率の画像データＡ，Ｂ及び音声データＡ、Ｂをデコードし、その後、エンコードし、第２圧縮率の画像データＡ，Ｂ及び音声データＡ，Ｂを取得する。合成は実行されない。
【０１０８】
また、遠隔会議システム１０で行われる遠隔会議に関する第２実施例の処理では、合成処理（図１０参照）は省略される。ＣＰＵ２２は、端末装置５０Ａ，５０Ｂから送信（図７のＵ７及びＵ９参照）され、通信部３２でのメディアデータＡ，Ｂの受信に伴い取得した画像データＡ，Ｂ及び音声データＡ，Ｂを含むメディアデータＤを取得する処理（図１０のＳ５０２参照）のみを実行する。
【０１０９】
会議サーバ２０で合成が実行されない場合、メディアデータＤを取得した端末装置５０Ａ，５０ＢのＣＰＵ５２は、メディアデータＤに含まれる画像データＡ，Ｂをデコード及び合成する等して、遠隔会議画面６４が表示部６２に表示されるように制御する。
【０１１０】
（６）画像及び音声に基づいた遠隔会議を例に説明した。遠隔会議は、画像のみによって行われるようにしてもよい。この場合、上述したメディアデータＡは、画像データＡを含み、メディアデータＢは、画像データＢを含み、メディアデータＤは、合成画像データを含む。共有指示に基づき共有される資料データは、上記同様、ワープロソフト又はプレゼンテーションソフト等で作成された電子ファイルとされる。また、遠隔会議は、音声のみによって行われるようにしてもよい。この場合、上述したメディアデータＡは、音声データＡを含み、メディアデータＢは、音声データＢを含み、メディアデータＤは、合成音声データを含む。共有指示に基づき共有される資料データは、音声ファイルとされる。
【符号の説明】
【０１１１】
１０  テレビ会議システム
２０  会議サーバ
２２  ＣＰＵ
２４  ＲＯＭ
２６  記憶部
２８  ＲＡＭ
３０  計時部
３２  通信部
３４  表示部
３６  操作部
３８  バス
５０，５０Ａ，５０Ｂ  端末装置
５２  ＣＰＵ
５４  ＲＯＭ
５６  記憶部
５８  ＲＡＭ
６０  通信部
６２  表示部
６４  遠隔会議画面
６５Ａ，６５Ｂ，６５Ｃ  画像
６６  共有ボタン
６８  スピーカ
７０  操作部
７２  カメラ
７４  マイク
７６  バス
８０  ネットワーク
【図１】
2014072600.tif 000003
【図２】
2014072600.tif 000004
【図３】
2014072600.tif 000005
【図４】
2014072600.tif 000006
【図５】
2014072600.tif 000007
【図６】
2014072600.tif 000008
【図７】
2014072600.tif 000009
【図８】
2014072600.tif 000010
【図９】
2014072600.tif 000011
【図１０】
2014072600.tif 000012